(57)【特許請求の範囲】
【請求項１】
ディーゼル燃料調合物に使用するための添加剤組成物であって、該添加剤組成物は、（ｉ）セタン価向上剤と、（ｉｉ）式（Ｉ）：
【化１】
0006298076.tif 000008
（式中ｎは、６〜２０の整数であり、Ｒ１、Ｒ２およびＲ３は、それぞれ独立して、水素、場合によっては置換されていてもよいアルキル、場合によっては置換されていてもよいアリールおよびカルボニルから選択され、ただしＲ１、Ｒ２およびＲ３の全てが水素ではない）の改変シクロデキストリンを含み、
ここでセタン価向上剤は、包接錯体の形態で改変シクロデキストリン（Ｉ）のホスト分子内のゲスト分子として存在する、上記添加剤組成物。
【請求項２】
式（Ｉ）の改変シクロデキストリンにおいて、Ｒ１、Ｒ２およびＲ３基が、独立して、水素および非置換のＣ１〜Ｃ１２アルキル基から選択される、請求項１に記載の添加剤組成物。
【請求項３】
Ｒ１、Ｒ２およびＲ３のうち少なくとも２つが、独立して、非置換のＣ１〜Ｃ１２アルキル基から選択される、請求項２に記載の添加剤組成物。
【請求項４】
Ｒ１、Ｒ２およびＲ３基のうち２つが、独立して、非置換のＣ２〜Ｃ８アルキル基から選択される、請求項３に記載の添加剤組成物。
【請求項５】
式（Ｉ）の改変シクロデキストリンにおいて、整数ｎが６〜８である、請求項１〜４のいずれか一項に記載の添加剤組成物。
【請求項６】
ｎが７である、請求項５に記載の添加剤組成物。
【請求項７】
セタン価向上剤が、有機硝酸塩および亜硝酸塩；有機（ヒドロ）ペルオキシド；ならびにそれらの混合物から選択される、請求項１〜６のいずれか一項に記載の添加剤組成物。
【請求項８】
セタン価向上剤が、改変シクロデキストリン（Ｉ）のホスト分子内のゲスト分子として存在する場合、ディーゼル燃料調合物のセタン価を増加させることができるオクタンブースターである、請求項１〜６のいずれか一項に記載の添加剤組成物。
【請求項９】
添加剤組成物が、予め決められた値より高いもしくは低い温度、および／または予め決められた値より高いもしくは低い圧力に晒されるか、ならびに／または別の化学種に晒されるときに、セタン価向上剤がシクロデキストリン包接錯体から放出されるように、セタン価向上剤と改変シクロデキストリン（Ｉ）とが設計されている、請求項１〜８のいずれか一項に記載の添加剤組成物。
【請求項１０】
請求項１〜９のいずれか一項に記載の添加剤組成物を含むディーゼル燃料調合物。
【請求項１１】
セタン価向上剤および改変シクロデキストリン（Ｉ）を含有する包接錯体のディーゼル燃料調合物中の濃度が、５００〜１，５００ｐｐｍｗである、請求項１０に記載のディーゼル燃料調合物。
【請求項１２】
添加剤組成物またはディーゼル燃料調合物中のセタン価向上剤のための媒体としての、請求項１〜９のいずれか一項に記載の式（Ｉ）の改変シクロデキストリンの使用。
【請求項１３】
以下の目的：
ｉ．添加剤組成物またはディーゼル燃料調合物中のセタン価向上剤の溶解性を改変すること；
ｉｉ．組成物または調合物中のセタン価向上剤の活性を改変すること；
ｉｉｉ．組成物または調合物中のセタン価向上剤の安定性を改変すること；
ｉｖ．組成物または調合物中のセタン価向上剤の揮発性を改変すること；
ｖ．組成物または調合物中で晒される可能性がある外部の影響から、セタン価向上剤を少なくとも部分的に保護すること；
ｖｉ．組成物もしくは調合物内または組成物もしくは調合物からのセタン価向上剤の送達を制御すること；
ｖｉｉ、組成物または調合物中に存在する添加剤の濃度を低下させること；および
ｖｉｉｉ．組成物または調合物のセタン価を増加させること
のうち１つまたはそれより多くのために、改変シクロデキストリン（Ｉ）が、セタン価向上剤と組み合わせて使用される、請求項１２に記載の使用。
【請求項１４】
目的（ｖｉｉ）のためであり、添加剤がセタン価向上剤である、請求項１３に記載の使用。
【請求項１５】
ディーゼル燃料消費システムに、添加剤組成物またはディーゼル燃料調合物を導入すること、その後、システム内の該組成物または該調合物を、改変シクロデキストリン（Ｉ）と共に形成される包接錯体からの少なくとも部分的なセタン価向上剤の放出を誘導する条件に晒すことを含む、請求項１３または１４に記載の使用。
【発明の詳細な説明】
【技術分野】
【０００１】
本発明は、ディーゼル燃料調合物で使用するための添加剤組成物に関し、添加剤組成物を含有するディーゼル燃料調合物に関する。本発明はまた、新しい目的での、添加剤組成物における所定の化合物の使用、およびディーゼル燃料調合物における所定の化合物の使用にも関する。
【背景技術】
【０００２】
多くのディーゼル燃料調合物は、それらのセタン価を増加させるために、セタンブースター、セタン価向上剤または点火促進剤としても知られているセタン価向上添加剤を含有する。燃料のセタン価は、その点火の容易さの尺度である。燃料のセタン価が低いほど、寒い時期に圧縮点火（ディーゼル）エンジンがより始動が難しくなる傾向があり、走行時の騒音が大きくなる場合がある。それゆえに、ディーゼル燃料調合物にとって高いセタン価を有することが一般的に好ましく、したがって自動車用ディーゼル燃料の仕様では一般的に最小限のセタン価が要求される。
【０００３】
典型的には、セタン価向上添加剤は、好適な溶媒ビヒクル（solvent vehicle）中に１種またはそれより多くの機能的に活性な物質を含有する添加剤パッケージの形態で使用される。
【０００４】
ディーゼル燃料調合物中の添加剤濃度を低下させることがしばしば望ましい。添加剤濃度は、消費者の好みによって、および／または技術上もしくは経済上の考慮によって決まる可能性がある。場合により、添加剤濃度は、特定の添加剤、または燃料調合物中に存在する２種またはそれより多くの添加剤間の相互作用に関連する副作用を低下させたいという要求によって決まる可能性もある。
【０００５】
添加剤レベルの低下を達成しようとする努力はこれまで、より高い活性を有する添加剤、または添加剤の相乗的な組み合わせ、またはより高い安定性を有する添加剤を提供することにより、より長期間にわたる性能を強化する利益の実現を可能にすることに的を絞る傾向があった。また、添加剤が最も有用となり得る位置またはタイムポイントで添加剤の作用が強化されるように、燃料調合物への添加剤の放出を制御する試みもなされてきた。このような試みとしては、不溶性のゲル、ポリマーおよび他の固体マトリックスに添加剤を取り込むこと（例えばＷＯ２０１０／１３２２０９、ＷＯ２０１０／０１４５２８、ＷＯ２００６／１０５０２５、ＷＯ２００５／１２３２３８、ＷＯ２００５／０５２０９６、ＷＯ２００５／００３２６５、ＷＯ２００３／０８３０１７、ＷＯ２００３／０１８７２７、ＷＯ０２／００８１２、ＷＯ９９／４０１６６、およびＵＳ４，５１５，７４０）；フィルター支持体（ＷＯ２００３／０１８９８８）またはイオン交換樹脂（ＵＳ２００５／００３５０４５）上へのそれらの固定；脂質小胞（ＷＯ２０００／４９１０８）またはマイクロカプセル（ＪＰ１２１０４９７およびＷＯ２００３／００４１４６）中へのそれらの封入；およびさらにはＷＯ２００３／０１８７２６で説明されているような分配容器を介したそれらの送達が挙げられる。
【先行技術文献】
【特許文献】
【０００６】
【特許文献１】ＷＯ２０１０／１３２２０９
【特許文献２】ＷＯ２０１０／０１４５２８
【特許文献３】ＷＯ２００６／１０５０２５
【特許文献４】ＷＯ２００５／１２３２３８
【特許文献５】ＷＯ２００５／０５２０９６
【特許文献６】ＷＯ２００５／００３２６５
【特許文献７】ＷＯ２００３／０８３０１７
【特許文献８】ＷＯ２００３／０１８７２７
【特許文献９】ＷＯ０２／００８１２
【特許文献１０】ＷＯ９９／４０１６６
【特許文献１１】ＵＳ４，５１５，７４０
【特許文献１２】ＷＯ２００３／０１８９８８
【特許文献１３】ＵＳ２００５／００３５０４５
【特許文献１４】ＷＯ２０００／４９１０８
【特許文献１５】ＪＰ１２１０４９７
【特許文献１６】ＷＯ２００３／００４１４６
【特許文献１７】ＷＯ２００３／０１８７２６
【発明の概要】
【発明が解決しようとする課題】
【０００７】
本発明の目的は、より低いレベルで使用できる、および／またはより効率的にディーゼル燃料調合物の特性および／または性能を改変できるセタン価向上添加剤の代替形態を提供することである。
【課題を解決するための手段】
【０００８】
ここで、所定のタイプの化合物が、ディーゼル燃料調合物においてセタン価向上添加剤のための運搬媒体として使用できることが見出され、さらにこれらの化合物は、使用時における添加剤の効率を改善でき、したがってより低い添加剤濃度の使用を容易にする可能性があることが見出された。
【図面の簡単な説明】
【０００９】
【図１Ａ】実施例１〜３で行われたセタン価測定の結果を示す棒グラフである。
【図１Ｂ】実施例１〜３で行われたセタン価測定の結果を示す棒グラフである。
【図１Ｃ】実施例１〜３で行われたセタン価測定の結果を示す棒グラフである。
【図１Ｄ】実施例１〜３で行われたセタン価測定の結果を示す棒グラフである。
【図２Ａ】実施例４で行われた揮発実験の結果を示すグラフである。
【図２Ｂ】実施例４で行われた揮発実験の結果を示すグラフである。
【図２Ｃ】実施例４で行われた揮発実験の結果を示すグラフである。
【図３Ａ】実施例４で行われた揮発実験の結果を示すグラフである。
【図３Ｂ】実施例４で行われた揮発実験の結果を示すグラフである。
【図３Ｃ】実施例４で論じられたように図３Ａおよび３Ｂと比較した典型的なＦＡＭＥ非含有ディーゼル燃料の蒸留曲線である。
【発明を実施するための形態】
【００１０】
本発明の第一の形態によれば、ディーゼル燃料調合物に使用するための添加剤組成物が提供され、本添加剤組成物は、（ｉ）セタン価向上剤と、（ｉｉ）式（Ｉ）：
【００１１】
【化１】
0006298076.tif 000002
【００１２】
（式中ｎは、６〜２０の整数であり、Ｒ１、Ｒ２およびＲ３は、それぞれ独立して、水素、場合によっては置換されていてもよいアルキル、場合によっては置換されていてもよいアリールおよびカルボニルから選択され、ただしＲ１、Ｒ２およびＲ３の全てが水素ではない）の改変シクロデキストリンとを含み、ここでセタン価向上剤は、包接錯体の形態で改変シクロデキストリン（Ｉ）のホスト分子内のゲスト分子として存在する。
【００１３】
式（Ｉ）の改変シクロデキストリンは、セタン価向上添加剤にとって極めて好適な媒体であり得ることが発見された。シクロデキストリン分子は自然に、適切なサイズおよび極性を有する添加剤分子の収容が可能な空孔を形成する。シクロデキストリン「ホスト」分子による添加剤「ゲスト」分子の捕捉および放出は、共有結合またはイオン結合の形成には関与せず、代わりに水素結合、ファンデルワールス相互作用および／または静電的相互作用を利用するために、それらは可逆的である。この方式でのセタン価向上添加剤の封入は、そこに添加されるディーゼル燃料調合物への作用を損なわないようである。しかしながら封入は、ある程度まで外部の影響から添加剤を保護でき、したがって添加剤の安定性の改善および／または調合物中に存在する他の化学種との都合の悪い相互作用を起こす危険を低下させるのに役立つ可能性がある。
【００１４】
シクロデキストリンの内部の空孔は、エタノールの溶解特性と似た溶解特性を有していることから、シクロデキストリンは様々な親水性および疎水性の「ゲスト」分子両方に対して魅力的なものとなっている。しかしながら、それ自身の環境におけるシクロデキストリンの溶解性は、シクロデキストリンがＲ１、Ｒ２およびＲ３位に存在する置換基の数およびタイプによって決まる。そのため、全体としての錯体の溶解性は、ゲストというよりはシクロデキストリン分子の溶解性によって決定されると予想されることから、シクロデキストリンホスト分子の内部にセタン価向上添加剤を封入することにより、添加剤の溶解性を効果的に改変することが可能になる。
【００１５】
さらに驚くべきことに、改変シクロデキストリン（Ｉ）は、セタン価を向上させるゲスト分子の活性を強化できることが見出された。場合によっては、改変シクロデキストリン（Ｉ）は、セタン価向上剤としてより有用になるように添加剤の活性も改変できる。またこれらの作用は、セタン価向上剤を必要とする燃料の調合物においても有利であり得る。
【００１６】
所定の条件下、例えばホストとゲストとの会合を弱める条件下、または空孔を形成するシクロデキストリンの高分子構造を例えば蒸発により分解する条件下で、シクロデキストリンホストはセタン価向上剤ゲスト分子を放出できることから、さらなる考えられる利益を獲得できる。それゆえに、所定の条件下でセタン価向上剤が運搬され、必要に応じて保護されるように、ただしその作用が最も必要とされる望ましい時間または位置でセタン価向上剤が放出されるように、改変シクロデキストリン（Ｉ）を選択または設計することが可能である。例えば、セタン価向上剤は、エンジンの燃料噴射領域および燃焼領域において特に有用である可能性があることから、そのような領域にセタン価向上剤の放出を標的化することによりその有効性を向上させることができる。
【００１７】
分子封入剤の使用のさらなる利益は、これまでに添加剤の運搬媒体として提唱されてきたポリマーマトリックスおよびマイクロカプセルとは対照的に、分子封入剤はよりいっそう小さいために、例えば燃料ラインおよび燃料フィルターの目詰まり、または燃料消費システム中での望ましくないデポジット蓄積を引き起こし難いことである。
【００１８】
１９６７年にＵＳ３，３１４，８８４で燃料添加剤用のキャリアーとしてのホスト−ゲスト包接錯体の使用が提唱されている。この文書ではシクロデキストリンが可能性のあるホスト化合物として言及されているが、それらの使用は例示されていない。しかしながら、未修飾シクロデキストリン（すなわちＲ１、Ｒ２およびＲ３が全て水素の式（Ｉ）のシクロデキストリン）は、結晶質の材料であり、有機系、特に液体炭化水素などの低極性の有機系に不溶性である。したがってこれらは、典型的な炭化水素ベースの燃料調合物での利用は期待できないと予想される。実際にシクロデキストリンは、食物、飲料、芳香剤、化粧品、および製薬において活性物質用の媒体とし広く使用されているが、そのような状況においてシクロデキストリンは低極性の有機系ではなく水性の系に配合されている。
【００１９】
ＵＳ５，１９９，９５９；ＵＳ５，２２６，９２５；ＵＳ５，４８２，５２０、およびＵＳ２００１／０００３２３１などの文書は、ディーゼル燃料中の酸化窒素レベルを低下させる化合物、ならびにケロシン、ジェット燃料および潤滑油などの液状油生成物の熱安定性を改善する化合物のためのホストとしてのカリックスアレーンの使用を教示している。カリックスアレーンは、シクロデキストリンのようにゲスト分子を捕捉できる空孔を形成する大環状分子である。しかしながら、それらの構成的な炭化水素環の化学構造は、シクロデキストリン分子を構成する親水性糖単位の化学構造とは極めて異なっており、クラスとしてのその機能的多様性はそれほど高くない可能性がある。
【００２０】
本発明の添加剤組成物は、ディーゼル燃料調合物での使用に好適であると予想される。本発明の添加剤組成物は、このような調合物での使用に適合させてもよいし、および／またはこのような使用を対象としていてもよい。好ましくは本発明の添加剤組成物は、このような使用に好適であるか、および／または適合されている。
【００２１】
本発明の状況において、ディーゼル燃料調合物は、あらゆる調合物であってもよく、典型的には、圧縮点火燃料消費システムでの可燃性燃料としての使用に好適な、および／または適合させた液体形態であってもよい。ディーゼル燃料調合物は、特に、炭化水素ベースのものであってもよく、すなわち主成分としての（例えば８０％ｖ／ｖまたはそれより多く、または８５もしくは９０もしくは９５％ｖ／ｖまたはそれより多くの）炭化水素燃料成分、例えばアルカン、シクロアルカン、アルケン、および芳香族炭化水素などを含むものであってもよい。炭化水素燃料成分は、鉱物由来であってもよいし、または生物学的な源由来であってもよいし、または合成であってもよい。このような調合物は、その炭化水素燃料成分に加えて、１種またはそれより多くの成分を含有していてもよく、このような成分は、例えば酸素化物、生物燃料成分、および燃料添加剤から選択される。
【００２２】
ディーゼル燃料調合物は、特に自動車用ディーゼル燃料調合物であってもよい。
【００２３】
ディーゼル燃料調合物の他の好ましい特色は、以下で本発明の第二の形態と関連して説明される通りであってもよい。
【００２４】
本発明の添加剤組成物において、式（Ｉ）のシクロデキストリンは、有機（特に炭化水素ベースの）調合物中でのその溶解性が増加するように改変される。したがって、改変シクロデキストリン（Ｉ）、および添加剤組成物全体は、それらが使用されるように適合および／または意図されたディーゼル燃料調合物において好適な可溶性を有する。このような調合物は、脂肪酸メチルエステルなどのより高い極性の成分を包含することによってそのベースとなる炭化水素と比べて調合物の極性を増加させる可能性があるが、典型的には低い極性を有すると予想される。Ｒ１、Ｒ２およびＲ３基の性質は、例えばシクロデキストリン分子に望ましい溶解特性を付与すると予想され、それにより添加剤組成物を選ばれた燃料調合物での使用に適合させることが可能になる。
【００２５】
この方式で、ディーゼル燃料調合物におけるセタン価向上剤の有効な溶解性を改変することが可能になる。別の状況では調合物に比較的不溶性であると予想されるセタン価向上剤分子は、シクロデキストリンホスト分子に封入されれば、そのホストの溶解性がより大きいために利益を得る可能性がある。
【００２６】
本発明の実施態様において、式（Ｉ）の改変シクロデキストリンは、アルキル化シクロデキストリンである。「アルキル化シクロデキストリン」は、Ｒ１、Ｒ２およびＲ３基のうち少なくとも１つが、場合によっては置換されていてもよい（ただし特定には非置換の）アルキル基である式（Ｉ）のシクロデキストリンを意味する。一実施態様において、Ｒ１、Ｒ２およびＲ３基のうち２つまたは少なくとも２つが、独立して、場合によっては置換されていてもよい（特定には非置換の）アルキル基から選択される。一実施態様において、Ｒ１、Ｒ２およびＲ３基の３つ全てが、独立して、場合によっては置換されていてもよい（特定には非置換の）アルキル基から選択される。
【００２７】
アルキル化シクロデキストリンが２つまたはそれより多くのアルキル基で置換されている場合、２つまたはそれより多くのアルキル基は同じであってもよい。
【００２８】
アルキル化シクロデキストリンにおいて、アルキル基ではないＲ１、Ｒ２およびＲ３基のいずれかが水素であることが好適である。したがって、Ｒ１、Ｒ２およびＲ３基は、独立して、水素、および場合によっては置換されていてもよい（特定には非置換の）アルキルから選択されてもよい。一実施態様において、Ｒ１は、場合によっては置換されていてもよい（特定には非置換の）アルキルから選択され、Ｒ２およびＲ３は両方とも水素である。一実施態様において、Ｒ１およびＲ３は、独立して、場合によっては置換されていてもよい（特定には非置換の）アルキルから選択され、Ｒ２は水素である。
【００２９】
一般的に、アルキル化シクロデキストリンにおいて、Ｒ１、Ｒ２およびＲ３の３つの位置における全体の置換度は、例えば３３％またはそれより大きくてもよく、または５０％またはそれより大きくてもよく、または６６％またはそれより大きくてもよい。Ｒ１、Ｒ２またはＲ３の個々の位置における置換度は、０〜１００％であってもよく、例えば１０％またはそれより大きくてもよく、または２５％またはそれより大きくてもよく、または５０％またはそれより大きくてもよく、または７５％またはそれより大きくてもよい。実施態様において、アルキル置換基は、Ｒ１、Ｒ２およびＲ３の位置間でランダムに分布していてもよい。
【００３０】
式（Ｉ）のアルキル化シクロデキストリンにおいて、整数ｎは、特定には６〜８であってもよく、より特定には７であってもよい。
【００３１】
本発明の内容において、「アルキル」基は、直鎖アルキル基であってもよいし、または分岐鎖アルキル基であってもよい。アルキル基は、最大２２個の炭素原子を含有していてもよいし、または最大２０個、もしくは１８個、もしくは１６個、もしくは１４個、もしくは１２個の炭素原子を含有していてもよいし、または場合によっては最大６個、もしくは５個、もしくは４個、もしくは３個の炭素原子を含有していてもよい。アルキル基は、１個の炭素原子もしくはそれより多くを含有していてもよいし、または２個もしくは３個の炭素原子もしくはそれより多くを含有していてもよいし、例えば１〜１２個、もしくは１〜１０個、もしくは１〜８個の炭素原子を含有していてもよいし、または１〜６個、もしくは１〜４個、もしくは１〜３個の炭素原子を含有していてもよいし、または場合によっては２〜８個、もしくは３〜８個、もしくは４〜８個の炭素原子を含有していてもよい。アルキル基は、例えば、メチル、エチル、プロピル、およびブチル基から選択されてもよい。アルキル基は、メチル、およびブチル基から選択されてもよい。ブチル基の置換基はｎ−ブチル基であってもよいし、またはｎ−ブチルとイソブチル基との混成であってもよい。
【００３２】
特に改変シクロデキストリン（Ｉ）がアルキル化シクロデキストリンである場合、アルキル基（複数可）は、Ｃ１〜Ｃ１２アルキル基、またはＣ２〜Ｃ１２もしくはＣ３〜Ｃ１２アルキル基から選択されてもよい。アルキル基（複数可）は、Ｃ１〜Ｃ１０アルキル基、またはＣ２〜Ｃ１０もしくはＣ３〜Ｃ１０もしくはＣ４〜Ｃ１０アルキル基から選択されてもよい。アルキル基（複数可）は、Ｃ１〜Ｃ８アルキル基、またはＣ２〜Ｃ８アルキル基、またはＣ３〜Ｃ８もしくはＣ４〜Ｃ８アルキル基から選択されてもよい。アルキル基（複数可）は、Ｃ１〜Ｃ６アルキル基、またはＣ２〜Ｃ６アルキル基、またはＣ３〜Ｃ６もしくはＣ４〜Ｃ６アルキル基から選択されてもよい。アルキル基（複数可）は、Ｃ１〜Ｃ５アルキル基、またはＣ２〜Ｃ５アルキル基、またはＣ３〜Ｃ５アルキル基から選択されてもよい。アルキル基（複数可）は、Ｃ１〜Ｃ４アルキル基、またはＣ２〜Ｃ４アルキル基、またはＣ３〜Ｃ４アルキル基から選択されてもよい。
【００３３】
具体的な実施態様において、Ｒ１、Ｒ２、およびＲ３は同じであり、Ｃ１〜Ｃ４アルキル基から選択され、特にメチルである。
【００３４】
他の具体的な実施態様において、Ｒ１、Ｒ２、およびＲ３のうち少なくとも２つ（例えばＲ１およびＲ３の２つなど）は、Ｃ１〜１２もしくはＣ１〜Ｃ１０もしくはＣ１〜Ｃ８アルキル基、またはＣ２〜Ｃ１０もしくはＣ２〜Ｃ８もしくはＣ２〜Ｃ６アルキル基、またはＣ２〜Ｃ１０もしくはＣ２〜Ｃ８もしくはＣ２〜Ｃ６アルキル基から選択される。特に、Ｒ１、Ｒ２およびＲ３のうち少なくとも２つ（例えばＲ１およびＲ３の２つなど）はブチルであってもよく、残りの基は、可能な場合は水素であってもよい。したがって、例えば改変シクロデキストリン（Ｉ）は、ヘプタキス（２，６−ジ−Ｏ−ｎ−ブチル）−シクロデキストリンであってもよい。
【００３５】
式（Ｉ）の改変シクロデキストリンにおいて、アルキル基は、１つまたはそれより多くの、典型的には１つのヒドロキシル基で置換されていてもよく、ここでヒドロキシル基は、１級、２級または３級ヒドロキシル基であってもよく、特に２級ヒドロキシル基であってもよい。ヒドロキシルで置換されたアルキル基（「ヒドロキシアルキル」基）は、特定にはヒドロキシプロピル（例えば２−ヒドロキシプロピル）またはヒドロキシエチルであってもよく、より特定にはヒドロキシプロピルであってもよい。一実施態様において、Ｒ１、Ｒ２およびＲ３基のうち少なくとも１つは、ヒドロキシアルキル基である。一実施態様において、Ｒ１は、ヒドロキシアルキル基、特に２−ヒドロキシプロピルであり、その場合、Ｒ２およびＲ３は、好適には水素である。
【００３６】
アルキル基は、１つまたはそれより多くの、典型的には１つのアミン基−ＮＲ４Ｒ５で置換されていてもよく、式中Ｒ４およびＲ５は、それぞれ独立して、水素、および場合によっては置換されていてもよい（好適には非置換の）アルキル基から選択され、特に水素、およびＣ１〜Ｃ４またはＣ１〜Ｃ３またはＣ１〜Ｃ２アルキル基から選択される。アミン基−ＮＲ４Ｒ５は、特に−ＮＨ２であってもよい。
【００３７】
「アリール」基は、芳香族炭化水素環を含有する基であり、例えばフェニル、ベンジル、トリル、キシリル、ナフチルまたはアントラシル（anthracyl）である。アリール基は、例えばＣ５〜Ｃ１８アリール基、またはＣ６〜Ｃ１８アリール基、またはＣ６〜Ｃ１４もしくはＣ６〜Ｃ１０もしくはＣ６〜Ｃ８アリール基であってもよい。アリール基は、特定にはフェニルまたはベンジルであってもよく、より特定にはベンジルであってもよい。
【００３８】
「カルボニル」基は、式Ｒ６−Ｃ（Ｏ）−で示される基であり、式中Ｒ６は、場合によっては置換されていてもよい（好適には非置換の）アルキルまたはアリール基であり、例えばアルキル、フェニルまたはベンジル基であり、ここでアルキル基は、特にＣ１〜Ｃ４またはＣ１〜Ｃ３またはＣ１〜Ｃ２アルキル基であってもよい。カルボニル基は、特定にはアセチルまたはベンゾイルであってもよく、より特定にはアセチルであってもよい。
【００３９】
「場合によっては置換されていてもよい」基は、１つまたはそれより多くの置換基、例えば１または２つの置換基、特に１つの置換基で置換されていてもよく、これらの置換基は、例えば、アルキル、より特定にはＣ１〜Ｃ４アルキルまたはＣ１〜Ｃ３アルキルまたはＣ１〜Ｃ２アルキル、例えばメチル；アリール、例えばフェニル；カルボン酸およびカルボン酸イオン、例えば−ＣＨ２ＣＯ２Ｈ、−ＣＯ２Ｈまたは対応するアニオン；アルコキシル、例えばエトキシルまたはメトキシル、特にメトキシル；アミン（例えば−ＮＲ４Ｒ５）およびアミド基、特に第一アミンおよびアミド基；および−ＯＨから選択されてもよい。このような置換基は、特定にはアルキル、アリール、アルコキシル、および−ＯＨから選択されてもよい。さらにより特定には、このような置換基は、アルキル基、例えばＣ１〜Ｃ４またはＣ１〜Ｃ３またはＣ１〜Ｃ２アルキル基、例えばメチルから選択されてもよい。
【００４０】
「場合によっては置換されていてもよい」基は、特定には非置換であってもよい。
【００４１】
本発明の実施態様において、Ｒ１、Ｒ２およびＲ３基は、独立して、水素、非置換のアルキル（特に非置換のＣ１〜Ｃ８またはＣ１〜Ｃ４アルキル）、およびヒドロキシアルキル（特にＣ１〜Ｃ４ヒドロキシアルキル、より特定にはヒドロキシプロピル）から選択される。一実施態様において、Ｒ１は、場合によっては置換されていてもよいアルキル（特に非置換のアルキルおよびヒドロキシアルキル）およびカルボニルから選択され、Ｒ２およびＲ３はいずれも水素である。一実施態様において、Ｒ１は、場合によっては置換されていてもよいアルキル（特に非置換のアルキルおよびヒドロキシアルキル）から選択され、Ｒ２およびＲ３はいずれも水素である。
【００４２】
一般的に、Ｒ１、Ｒ２、およびＲ３基の炭素鎖の長さは、選ばれたディーゼル燃料調合物におけるシクロデキストリン（Ｉ）の溶解性が強化されるように選ぶことができ、鎖の基が長いほど典型的にはより大きい疎水性をもたらすことから、より低い極性、より高い疎水性の有機系に対してより大きい親和性ももたらす。高酸素化物含量のディーゼル燃料調合物などのより高い極性の調合物で使用する場合、Ｒ１、Ｒ２およびＲ３基が、より短い鎖のアルキル基、特にメチルから選択されるか、および／またはヒドロキシルなどの極性官能基で置換されているアルキル基からから選択されることが好ましい可能性がある。シクロデキストリンをより疎水性にするためには、より長い鎖のアルキル基、例えばブチルが使用される可能性がある。
【００４３】
低い極性のディーゼル燃料調合物で使用するためには、Ｒ１、Ｒ２およびＲ３基のうち少なくとも１つ、好適には２または３つが、より長い鎖（例えばＣ４またはそれより大きい、またはＣ４〜Ｃ１２もしくはＣ４〜Ｃ１０もしくはＣ４〜Ｃ８）のアルキル基（ここで該アルキル基は、好適には非置換である）であることが好ましい可能性がある。場合によっては、このようなより長い鎖のアルキル基は、Ｃ１２〜Ｃ２２またはＣ１２〜Ｃ１８アルキル基であってもよい。
【００４４】
一実施態様において、特に添加剤組成物が非極性ディーゼル燃料調合物で使用するためのものである場合、Ｒ１、Ｒ２およびＲ３基は、独立して、水素および非置換のアルキル（特定にはＣ１〜Ｃ８もしくはＣ４〜Ｃ８アルキル、例えばメチル、またはより特定にはブチル）から選択されてもよい。さらにより特定には、Ｒ１、Ｒ２およびＲ３のうち少なくとも２つ（例えばＲ１およびＲ３）は、独立して、非置換のアルキル（例えばＣ１〜Ｃ８もしくはＣ４〜Ｃ８アルキル、特定にはメチル、またはブチル、より特定にはブチル）から選択されてもよく、２つまたはそれより多くのアルキル基は、同じであってもよい。
【００４５】
一実施態様において、特に添加剤組成物が、中度に極性のディーゼル燃料調合物、例えば脂肪酸メチルエステル（ＦＡＭＥ）などの酸素化物を最大約１０％ｖ／ｖ含有する調合物に使用するためのものである場合、Ｒ１、Ｒ２およびＲ３基のうち１または２つ（例えばＲ１およびＲ３）は、独立して、非置換のアルキル（特定にはＣ１〜Ｃ８もしくはＣ１〜Ｃ４アルキル、例えばメチル、またはブチル、より特定にはメチル）から選択されてもよく、残りの基（複数可）は水素であってもよい。したがって、例えば改変シクロデキストリン（Ｉ）は、トリ−メチルシクロデキストリンまたはジ−Ｏ−ｎ−ブチルシクロデキストリンであってもよい。
【００４６】
一実施態様において、特に添加剤組成物が、より高い極性のディーゼル燃料調合物、例えばＦＡＭＥなどの酸素化物を約５または１０％ｖ／ｖより多く（またはこのような酸素化物を場合によっては２０もしくは３０もしくは４０もしくは５０％ｖ／ｖまたはそれより多く）含有する調合物に使用するためのものである場合、Ｒ１、Ｒ２およびＲ３基のうち少なくとも１つは、ヒドロキシルなどの極性基で置換されたアルキル基（特にＣ１〜Ｃ４アルキル基）であってもよく、このケースにおいて、好適には、少なくともＲ１はヒドロキシアルキル基である。
【００４７】
一実施態様において、改変シクロデキストリン（Ｉ）は、アルキル基（複数可）が非置換のＣ１〜Ｃ１２またはＣ１〜Ｃ８またはＣ２〜Ｃ８アルキル基から選択されるアルキル化シクロデキストリンである。
【００４８】
特に好ましいアルキル化シクロデキストリンは、各単量体の残基上で２つのブチル基（例えばｎ−ブチル基、またはｎ−ブチル基とイソブチル基との混成）で置換されており、このようなシクロデキストリンは、好適にはβ−シクロデキストリンである。これらのシクロデキストリンは、様々なディーゼル燃料において優れた溶解性を有することが見出されており、親水性と疎水性との優れたバランス（ＨＬＢバランス）を示すことが予想される。
【００４９】
改変シクロデキストリン（Ｉ）において、整数ｎは、特定には４〜１０、もしくは５〜９であってもよく、またはより特定には６〜８であってもよい。ｎ＝６の場合、シクロデキストリンは、α−シクロデキストリンであり、これは、１．４ｎｍの外径と０．６ｎｍの内部空孔直径を有する円錐台形構造を形成する。ｎ＝７の場合、シクロデキストリンは、β−シクロデキストリンであり、これは、１．５ｎｍの外径と０．８ｎｍの内径を有する円錐台形構造を形成する。ｎ＝８の場合、シクロデキストリンは、γ−シクロデキストリンであり、その円錐台形は、１，７ｎｍの外径と１．０ｎｍの内径を有する。したがって、ｎの値は、ゲスト分子を封入できる空孔のサイズに影響を与える。それゆえにｎの値は、選ばれたセタン価向上剤の１つまたはそれより多くの分子（好適には１つの分子）を収容するのに好適なサイズの空孔が得られるように選ぶことができる。
【００５０】
本発明の実施態様において、改変シクロデキストリン（Ｉ）は、β−シクロデキストリン（すなわちｎ＝７）である。
【００５１】
本発明の内容において、セタン価向上剤は、燃料調合物のセタン価を増加させることができる物質であり、これらは、錯体化されていない状態で存在していてもよいし、および／または改変シクロデキストリン（Ｉ）のホスト分子内における包接錯体の形態で存在していてもよい。燃料調合物のセタン価を増加させることができる物質は、改変シクロデキストリン（Ｉ）との包接錯体ではない形態で存在していてもよい。調合物がエンジンまたは他の燃料消費システムで使用される場合、一般的にセタン価向上剤は、ディーゼル燃料調合物の点火特性を向上させることができるものであってもよい。
【００５２】
セタン価向上剤は、ディーゼル燃料添加剤として使用するのに好適であり、および／またはそのような使用に適合させてあると予想される。
【００５３】
一実施態様において、セタン価向上剤は、極性化学種である。
【００５４】
またセタン価向上剤は、セタン価向上剤または点火促進剤と理解される場合もある。多くのこのような添加剤は公知であり市販されている。セタン価向上剤は、典型的には、燃料消費システムの燃焼室で燃料が反応し始めたらフリーラジカル濃度を増加させることによって機能する。その例としては、有機硝酸塩および亜硝酸塩、特に硝酸（シクロ）アルキル、例えば硝酸イソプロピル、硝酸２−エチルヘキシル（２−ＥＨＮ）および硝酸シクロヘキシル、ならびに硝酸エチル、例えば硝酸メトキシエチル；ならびに有機（ヒドロ）ペルオキシド、例えばジ−ｔｅｒｔ−ブチルペルオキシドが挙げられる。セタン価を向上させたディーゼル燃料添加剤は、例えばＨＩＴＥＣ（商標）４１０３（例えばアフトンケミカル（Afton Chemical））として、ならびにＣＩ−０８０１およびＣＩ−０８０６（例えばイノスペック社（Innospec Inc））として市販されている。
【００５５】
一実施態様において、セタン価向上剤は、有機硝酸塩および亜硝酸塩、特に硝酸（シクロ）アルキル；有機（ヒドロ）ペルオキシド；ならびにそれらの混合物から選択される。一実施態様において、セタン価向上剤は、２−ＥＨＮ、ジ−ｔｅｒｔ−ブチルペルオキシド、およびそれらの混合物から選択される。
【００５６】
本発明の内容において、セタン価向上剤は、通常は燃料調合物のセタン価を増加させることができないが、改変シクロデキストリン（Ｉ）中に封入されるとそれができるようになる物質であってもよい。特に、このような物質は、オクタンブースターであってもよい。
【００５７】
したがって、一般論として、本発明で使用される「セタン価向上剤」は、ディーゼル燃料調合物の添加剤として使用するのに好適であるか、および／または適合されており、さらに改変シクロデキストリン（Ｉ）との包接錯体中のゲスト分子として存在する場合、それが添加された燃料調合物のセタン価を増加させることができるあらゆる燃焼促進剤であってもよい。燃焼促進剤は、典型的には、上記で説明したタイプのセタン価向上剤、オクタンブースター、およびそれらの混合物から選択されると予想される。
【００５８】
オクタンブースターは、燃料調合物のオクタン価を増加させることができる物質であり、ここでこのような物質は、錯体化されていない状態か、および／または改変シクロデキストリン（Ｉ）のホスト分子内の包接錯体の形態のいずれかで存在する。調合物がエンジンまたは他の燃料消費システムで使用される場合、一般的にオクタン向上剤は、ガソリン燃料調合物の点火特性を向上させることができるものであってもよい。
【００５９】
このようなオクタンブースターは、ガソリン燃料添加剤として使用するのに理想的に好適であるか、および／またはそれに適合されている。
【００６０】
多くのこのような添加剤は公知であり市販されている。芳香族アミン、例えば特にアニリンは、ガソリン燃料中でオクタンブースターとして使用されることが知られている。ＷＯ２００８／０７３１１８、ＷＯ２００８／０７６７５９、ＷＯ２０１０／００１３４１およびＲＵ２２３５１１７は、この目的のためのＮ−メチルアニリン（ＮＭＡ）などのＮ−アルキルアニリンの使用を説明している。
【００６１】
またアルキルｔ−ブチルエーテルなどのエーテル（例えばメチルｔ−ブチルエーテル（ＭＴＢＥ）およびエチルｔ−ブチルエーテル（ＥＴＢＥ））も、ガソリン燃料のオクタンブースターとして包含されてきた。ＵＳ６，８５８，０４８；ＵＳ５，４７０，３５８；ＵＳ２００６／０２２５３４０；ＥＰ０９４８５８４；ＷＯ０２／２２７６６、およびＵＳ２００８／０１６８７０６は、エーテル、エステルおよびアルコールオクタンブースターを含有する航空用ガソリン調合物を開示している。
【００６２】
またフェニルまたはシクロペンタジエニル環などの芳香族部分、特にフェニル環を包含する化学種も、オクタンブースターとして知られている。このようなオクタンブースターは、完全に有機性であってもよいし（例えばトルエン）、または金属成分を包含していてもよく、例えば芳香族系のオクタン価を高める金属錯体の形態であってもよく、メチルシクロペンタジエニルマンガントリカルボニル（ＭＭＴ）、フェロセン（これは、中央のＦｅ２＋イオンに結合した２つのシクロペンタジエニル環を含む）、および置換されたフェロセン、例えばアルキル（例えばデカメチル）フェロセンであってもよい。それゆえに芳香族系オクタンブースターは、例えば、芳香族アミンオクタンブースター、アルキル置換ベンゼン（特にトルエン）、アルキル置換フェノール、キノリン誘導体、金属を含有する芳香族系オクタンブースター、およびそれらの混合物から選択されてもよい。芳香族系オクタンブースターは、フェノール誘導体およびそれらの混合物から選択されてもよい。芳香族系オクタンブースターは、例えば、アルキル置換フェノール、例えばクレゾール（特にｍ−クレゾール）、４−エチルフェノールまたは２，４，６−トリメチルフェノールを含んでいてもよい。アルキル置換フェノールは、最大５個、好適には最大４個、より適切には最大３個のアルキル基で置換されていてもよく、ここでアルキル基は、特定にはＣ１〜Ｃ４アルキル基、より特定にはＣ１〜Ｃ２アルキル基であってもよい。芳香族系オクタンブースターは、キノリン誘導体およびそれらの混合物から選択されてもよく、例えば芳香族系オクタンブースターは、１，２，３，４−テトラヒドロキノリンを含んでいてもよい。
【００６３】
他の公知のオクタンブースターは、イソオクタンである。
【００６４】
芳香族アミンオクタンブースターは、特にアミンで置換されたフェニル環を包含する化学種であってもよい。アミンで置換されたフェニル環は、アミンの窒素原子基の位置で、および／またはフェニル環上の１つまたはそれより多くの炭素原子の位置でさらに置換されていてもよい。したがって、芳香族系オクタンブースターは、アニリン（すなわちアニリンそのもの、または置換アニリン）であってもよい。
【００６５】
置換アニリンは、環炭素原子の位置で、および／または窒素原子の位置で置換されていてもよく、さらに例えば一置換または二置換されていてもよく、特に一置換されていてもよい。好適な置換基は、Ｃ１〜Ｃ４アルキル基およびフェニルから選択されてもよく、特定にはメチル、エチルおよびフェニルから選択されてもよく、より特定にはメチルおよびエチルから選択されてもよい。
【００６６】
それゆえに置換アニリンとしては、フェニル環が１つまたはそれより多くの、特に１つのアルキル基で置換されたアルキル置換アニリン（例えば、４−エチルアニリンまたはトルイジン、例えばｍ−トルイジンなど）；フェニル環が、例えばフルオロおよびクロロ基から選択される１つまたはそれより多くの、特に１つのハロ基で置換されたハロ置換アニリン、例えば４−フルオロアニリン；フェニル環が１つまたはそれより多くの、特に１つのアルコキシル基で置換されたアルコキシル置換アニリン（例えばｍ−アニシジンなどのアニシジン）；フェニル環が式−ＮＲ１Ｒ２（式中Ｒ１およびＲ２は、独立して水素およびアルキルから選択される）で示される１つまたはそれより多くの、特に１つのアミン基で置換されたアミン置換アニリン（例えばＮ，Ｎ−ジエチル−ｐ−フェニレンジアミン）；ならびにアミン基の窒素原子がアルキルおよびフェニル基から選択される１つまたはそれより多くの、特に１つの基で置換されたＮ−置換アニリン（例えばＮ−メチルアニリンなどのＮ−アルキルアニリン、およびジフェニルアミンなどのＮ−フェニルアニリン）が挙げられる。
【００６７】
一実施態様において、芳香族系オクタンブースターは、アニリン；ｍ−トルイジン；ｐ−トルイジン；４−エチルアニリン；Ｎ−メチルアニリン；ジフェニルアミン；４−フルオロアニリン；ｍ−アニシジン；Ｎ，Ｎ−ジエチル−ｐ−フェニレンジアミン；ｐ−クレゾール；ｍ−クレゾール；ＭＭＴ；フェロセン；１，２，３，４−テトラヒドロキノリン；４−エチルフェノール；２，４，６−トリメチルフェノール；ならびにそれらの混合物から選択される。一実施態様において、芳香族系オクタンブースターは、アニリン；ｍ−トルイジン；４−エチルアニリン；ジフェニルアミン；４−エチルフェノール；２，４，６−トリメチルフェノール；ＭＭＴ；フェロセン；ならびにそれらの混合物から選択される。
【００６８】
芳香族アミンオクタンブースターがピロールではないことが好ましいと予想される。
【００６９】
オクタンブースターは、上記で説明したように芳香族部分を包含する化学種、特定には芳香族アミン、より特定にはアニリン；エーテル、特定にはジアルキルエーテル、より特定にはアルキルｔ−ブチルエーテル；ならびにそれらの混合物から選択されてもよい。一実施態様において、オクタンブースターは、芳香族アミン、特にアニリン、およびそれらの混合物から選択される。
【００７０】
本発明に係る添加剤組成物は、２種またはそれより多くの異なるセタン価向上剤の混合物を含んでいてもよい。これら全てが必ずしも改変シクロデキストリンホスト分子内のゲスト分子として存在する必要はない。したがって、本組成物は、式（Ｉ）の改変シクロデキストリンに封入されていない、１種またはそれより多くの追加のセタン価向上剤を含んでいてもよい。
【００７１】
本発明の添加剤組成物は、セタン価向上剤および改変シクロデキストリン（Ｉ）のための、溶媒キャリアーまたはそれらの混合物を含んでいてもよい。好適なこのような溶媒は周知であり、市販されている。一般的に使用される添加剤用の溶媒としては、炭化水素溶媒、例えばアルカン、アルケン、および芳香族炭化水素；炭化水素の混合物、例えば蒸留留分；ならびにより極性の溶媒、例えばアルコールおよびエーテルが挙げられる。使用中に組成物の安定性および有効性が最適化されるように、添加剤組成物で使用される溶媒または溶媒混合物の性質（特にその極性）は、セタン価向上剤および改変シクロデキストリン、加えて添加剤組成物が使用されるディーゼル燃料調合物の性質および極性に適合するように選ぶことができる。
【００７２】
しかしながら、一実施態様において、添加剤組成物は、固体の形態であってもよい。
【００７３】
添加剤組成物中の、セタン価向上剤と改変シクロデキストリン（Ｉ）とで形成された包接錯体濃度は、例えば１０ｐｐｍｗ（重量に基づく百万分率）もしくはそれより大きくてもよく、例えば５０もしくは１００ｐｐｍｗまたはそれより大きくてもよい。上記濃度は、例えば最大１０，０００ｐｐｍｗ、または最大５，０００ｐｐｍｗであってもよく、例えば１０〜１０，０００ｐｐｍｗまたは１００〜５，０００ｐｐｍｗであってもよい。一実施態様において、添加剤組成物は、特に組成物が固体の形態である場合、本質的に包接錯体からなっていてもよい（例えば、少なくとも９８または９９％ｗ／ｗの包接錯体を含有していてもよい）。
【００７４】
添加剤組成物中のセタン価向上剤と改変シクロデキストリン（Ｉ）とのモル比は、例えば１：５０もしくはそれより大きくてもよいし、または１：２５もしくはそれより大きくてもよいし、または１：２０もしくはそれより大きくてもよい。この比率は、例えば最大５：１、または最大２：１もしくは１：１、または最大１：２もしくは１：５もしくは１：１０であってもよく、例えば１：５０〜５：１、または１：５０〜２：１、または１：５０〜１：１であってもよく、または場合によっては１：５０〜１：２もしくは１：２０〜１：１０であってもよく、例えば約１：１０であってもよい。
【００７５】
この比率は、セタン価向上剤および改変シクロデキストリン（Ｉ）の性質によって決まる場合があり、例えば、単一のシクロデキストリンホスト分子内に、それより小さいセタン価向上剤の１または２個の分子を封入できるようになっていてもよく、一方、他のケースにおいては、単一のゲスト分子の周りに２個のシクロデキストリン分子が適合するようになっていてもよい。高分子セタン価向上剤は、１個より多くのシクロデキストリン分子と会合して、それぞれポリマー分子の別個の部分と錯化できるものであってもよい。
【００７６】
本発明の実施態様において、組成物が添加されるディーゼル燃料調合物において望ましい技術的な作用が達成されるように、過量モル濃度の改変シクロデキストリン（Ｉ）またはセタン価向上剤を使用することもできる。例えば、過量のセタン価向上剤は、多量の未封入のセタン価向上剤（これは即座に利用可能であるが、それゆえに経時的により容易に損失または分解されやすい可能性がある）に加えて、多量の封入されたセタン価向上剤（後半で、未封入のセタン価向上剤が枯渇した後、適切な誘導因子に応答して望ましい位置または時間で放出させることができる）を提供すると予想される。これは、ディーゼル燃料調合物で使用される前、および／または使用中のセタン価向上剤の実効寿命を延長させるのに使用できる。
【００７７】
本発明に係る添加剤組成物は、１種またはそれより多くの追加の活性物質、加えてセタン価向上剤を含んでいてもよい。この場合において、「活性物質」は、ディーゼル燃料添加剤として活性であり、さらにディーゼル燃料添加剤として使用するのに好適な物質である。このような物質は、ディーゼル燃料調合物中に取り込まれた場合、技術的な機能を発揮することができ、典型的には、調合物の特性および／または性能を改変できると予想される。一実施態様において、このような物質は、自動車用ディーゼル燃料添加剤として好適な、および／またはそのような使用に適合させた物質である。
【００７８】
追加の活性物質は、例えば、抗酸化剤、腐食抑制剤、洗浄剤および分散添加剤、金属不活性化剤、バルブシートリセッション保護化合物、粘度調整剤、色素および他のマーカー、摩擦調整剤、潤滑添加剤、追加のセタン価向上剤、帯電防止添加剤、消泡剤、低温流動性添加剤、およびそれらの組み合わせから選択されてもよい。追加の活性物質は、特に、抗酸化剤；燃焼促進剤（例えば追加のセタン価向上剤）；洗浄剤；潤滑添加剤；低温流動性添加剤；およびそれらの組み合わせから選択されてもよい。追加の活性物質は、抗酸化剤；燃焼促進剤（例えば追加のセタン価向上剤）；洗浄剤；ならびにそれらの混合物から選択されてもよいし、または燃焼促進剤（特に追加のセタン価向上剤）；洗浄剤；ならびにそれらの混合物から選択されてもよい。
【００７９】
一実施態様において、追加の活性物質は、極性化学種である。
【００８０】
このような追加の活性物質の全てが、必ずしも改変シクロデキストリンホスト分子内のゲスト分子として存在していなくてもよい。したがって、添加剤組成物は、式（Ｉ）の改変シクロデキストリン中に封入されていない１種またはそれより多くの追加の活性物質を含んでいてもよい。
【００８１】
組成物は、２種またはそれより多くの異なる式（Ｉ）の改変シクロデキストリンの混合物を含んでいてもよい。これら全てが、必ずしもセタン価向上剤または他の活性物質と錯体化していなくてもよい。
【００８２】
本発明に係る添加剤組成物は、セタン価向上剤と改変シクロデキストリン（Ｉ）とを、好適には溶媒キャリアーまたはそれらの混合物と共に、さらに場合によっては１種またはそれより多くの追加のディーゼル燃料添加剤または活性物質と共に混合することによって調製してもよい。ゲスト分子を含有するシクロデキストリン包接錯体を調製する技術は当業者公知であり、好適な例としては、混練、加熱、共沈、フリーズドライまたは凍結乾燥、噴霧乾燥、気液法、超臨界流体ベースの方法、およびそれらの組み合わせが挙げられる（例えばMarques、「A review on cyclodextrin encapsulation of essential oils and volatiles」、Flavour Fragr J、2010、25：313〜326、特に321〜322頁；およびChemical Reviews 98、2035〜2044を参照）。一例として、望ましいホスト−ゲスト錯体を生成するために、シクロデキストリン（Ｉ）とセタン価向上剤とを、必要に応じて加熱しながら、適切な溶媒中で一緒に撹拌し、続いてろ過または噴霧乾燥などの好適な手段で溶媒を除去してもよい。錯体形成を検証するために、例えば核磁気共鳴分光分析、可視または紫外分光分析、蛍光分光分析、赤外分光分析、示差走査熱量測定または他の熱的方法、Ｘ線回折、クロマトグラフィー、マススペクトロメトリー、光学的方法、真空方法などの公知の技術を使用してもよいし、または相溶解の変化を参照してもよい（ここでも、上記で参照したMarques、322〜324頁を参照されたい）。
【００８３】
セタン価向上剤と改変シクロデキストリン（Ｉ）とが個々に、それぞれの好適な溶媒または他のキャリアー中で使用されてもよい。したがって、場合により１種またはそれより多くのキャリアーを共に含むセタン価向上剤を含有する第一の予備混合物と、場合により１種またはそれより多くのキャリアーを共に含む改変シクロデキストリン（Ｉ）を含有する第二の予備混合物とを組み合わせることによって、本発明の添加剤組成物を調製することもできる。それゆえに、特にディーゼル燃料調合物に使用するのに好適な１種またはそれより多くのキャリアーを共に含む式（Ｉ）の改変シクロデキストリン含有予備混合物が、本発明を実施するための必須の要素を構成していてもよい。
【００８４】
このような予備混合物中のキャリアーは、特に液体キャリアーであってもよい。液体キャリアーは、それらがディーゼル燃料調合物での使用に好適になるように、低い極性、および／または疎水性、および／または非水性の性質を適宜有していてもよい。本発明の第一の形態に係る組成物を形成するために、予備混合物を、例えばセタン価向上剤含有添加剤パッケージと組み合わせてもよい。
【００８５】
式（Ｉ）の改変シクロデキストリンは、合成化学者に周知と予想される標準的な化学的技術で未修飾シクロデキストリンから得てもよい。未修飾シクロデキストリンは、広く商業的に入手可能である。未修飾シクロデキストリンは、典型的には酵素による変換によってデンプンから生産される。したがって、シクロデキストリン（Ｉ）は生物学的な源から誘導されてもよく、これは、ディーゼル燃料調合物により高濃度の生物学的に誘導された成分を包含させようとする要求が高まっていることから有利な可能性がある。
【００８６】
セタン価向上剤および改変シクロデキストリン（Ｉ）、特に整数ｎの値ならびにＲ１、Ｒ２およびＲ３基の性質は、特にディーゼル燃料調合物中での使用中に、組成物の調製、貯蔵、輸送、および／または使用の望ましい条件下で、自然にそれらが互いに会合して望ましいホスト−ゲスト包接錯体が形成されるように選ばれることが好適である。
【００８７】
本発明の実施態様において、改変シクロデキストリン（Ｉ）は、具体的な条件下での使用、および／または具体的なセタン価向上剤との使用に合うように設計されてもよい。より特定には、改変シクロデキストリン（Ｉ）は、具体的な条件下でセタン価向上剤ゲスト分子が放出されるように設計されてもよい。この方式で、本発明の組成物を使用して、ディーゼル燃料調合物中のセタン価向上剤の送達を制御する（例えばそのような送達を標的化する）ことが可能である。
【００８８】
一例として、具体的な範囲内の温度、例えば臨界的な使用期間中にディーゼル燃料調合物が晒される温度範囲に組成物が晒されたときに、セタン価向上剤の全部または一部をシクロデキストリン包接錯体から放出させることもできる。この方式で、例えば燃料消費システムの燃焼領域などセタン価向上剤の化学的作用が最も求められるポイントに到達するまで、シクロデキストリンによってセタン価向上剤を保護し安定化することができ、あるいは健康上もしくは安全上の危険が提示されているセタン価向上剤のケースでは、それを封入することによってさらに安全にすることができる。その代わりに、またはそれに加えて、組成物が具体的な範囲内の圧力、または具体的な範囲内の剪断力に晒されたときに、セタン価向上剤の全部または一部を包接錯体から放出させることもできる。
【００８９】
セタン価向上剤および改変シクロデキストリン（Ｉ）は、使用中に望ましい速度でシクロデキストリン包接錯体からセタン価向上剤が放出されるように選ばれてもよく、それにより添加剤組成物中またはディーゼル燃料調合物中のセタン価向上剤の有効性を延長できる。
【００９０】
本発明の実施態様において、予め決められた値より高いまたは低い（特定には高い）温度、例えば添加剤組成物が使用されるかまたは使用されることが意図されたエンジンまたは他の燃料消費システムの稼働範囲内の温度に添加剤組成物が晒されたときに、セタン価向上剤がシクロデキストリン包接錯体から放出されるように、セタン価向上剤と改変シクロデキストリン（Ｉ）とが設計されている。例えば、５０℃またはそれより高い、または６０℃またはそれより高い、または１００℃もしくは１５０℃またはそれより高い、または２００もしくは２２０℃またはそれより高い温度に組成物が晒されたときに、セタン価向上剤が放出されてもよい。
【００９１】
シクロデキストリンは、熱分解性である。それらの熱分解の速度および開始は、上記式（Ｉ）におけるそれらの置換基とｎの値に応じて変化する。一例として、トリメチル置換β−シクロデキストリンは、一般的に５０〜１５０℃で安定であり（２００分にわたり顕著な分解が起こらない）；２００℃および約０．０１ｍｇ／分で分解し；２５０℃で約１ｍｇ／分のより速い分解速度を示すことが見出された。それゆえにこのような分子は、セタン価を向上させる燃料添加剤のホストとして好適であると予想される：このような添加剤は、貯蔵条件下では封入されたままであり（例えば燃料タンクの温度は、典型的には約５０℃である）；それより高温の条件下では徐々に放出され（例えばコモンレールディーゼルシステムの燃料ラインは、約１５０℃で存在する可能性が高い）；高温条件下ではより迅速に放出され（例えば噴射後、燃焼前）；燃焼ポイントにおける超高温条件下ではほとんど即座に放出されると予想される。
【００９２】
一実施態様において、予め決められた値を超える圧力、例えば添加剤組成物が使用されるかまたは使用されることが意図されたエンジンまたは他の燃料消費システムの稼働範囲内の圧力に組成物が晒されたときに、セタン価向上剤がシクロデキストリン包接錯体から放出されるように、セタン価向上剤と改変シクロデキストリン（Ｉ）とが設計されている。例えば、組成物が、１気圧より大きい、または１００もしくは２００気圧またはそれより大きい、または５００もしくは１，０００もしくは１，５００もしくは２，０００気圧またはそれより大きい、例えば最大２，２００気圧の圧力に晒されたとき、セタン価向上剤が放出されてもよい。
【００９３】
セタン価向上剤および改変シクロデキストリン（Ｉ）は、予め決められた値より低い圧力、例えば１気圧未満の圧力に組成物が晒されたときに、セタン価向上剤が放出されるように設計されている。
【００９４】
一実施態様において、別の化学種、例えばシクロデキストリンの空孔への侵入に関してセタン価向上剤と競合する可能性がある化学種に添加剤組成物が晒されたときに、セタン価向上剤がシクロデキストリン包接錯体から放出されるように、セタン価向上剤と改変シクロデキストリン（Ｉ）とが設計されている。
【００９５】
したがって、シクロデキストリン（Ｉ）の性質、特にその改変基であるＲ１、Ｒ２およびＲ３の性質は、シクロデキストリン（Ｉ）の使用が意図された環境やそれとの使用が意図されたセタン価向上剤だけでなく、シクロデキストリン（Ｉ）がセタン価向上剤と会合したりそれから解離したりする条件、および／または別の方式で、例えば分子または高分子レベルでの自己分解によってゲスト分子が放出される条件にも適合するように設計されていてもよい。
【００９６】
本発明の第二の形態は、第一の形態に係る添加剤組成物を含むディーゼル燃料調合物を提供する。
【００９７】
一実施態様において、ディーゼル燃料調合物は、自動車用ディーゼル燃料調合物である。さらなる実施態様において、ディーゼル燃料調合物は、工業用ガス油調合物、暖房用油調合物、またはより特定には船舶用ディーゼル燃料調合物であってもよい。一実施態様において、該調合物は、酸素化物またはバイオディーゼル成分、例えばＦＡＭＥまたは硬化植物油、特にＦＡＭＥを含有するディーゼル燃料調合物である。このような酸素化物およびバイオディーゼル成分の濃度は、以下で説明した通りであってもよい。
【００９８】
本発明の添加剤組成物とは別に、このような調合物は、その成分とそれらの相対濃度については従来通りであってもよい。このような調合物は、例えば、ディーゼル用ベース燃料を含んでいてもよい。
【００９９】
ディーゼル用ベース燃料は、圧縮点火（ディーゼル）エンジン内での燃焼に好適であるか、および／またはそれに適合されたあらゆる燃料成分またはそれらの混合物であり得る。ディーゼル用ベース燃料は、典型的には液体炭化水素の中間留分燃料であり、より典型的にはガス油であると予想される。ディーゼル用ベース燃料は、石油由来であってもよい。ディーゼル用ベース燃料は、ケロシン燃料成分であってもよいし、またはそれを含有していてもよい。ディーゼル用ベース燃料は、合成燃料成分、例えばフィッシャー−トロプシュの凝縮プロセスの生成物であってもよいし、またはそれを含有していてもよい。ディーゼル用ベース燃料は、生物学的な源から誘導された燃料成分、例えば生物学的に誘導された硬化油（特に硬化植物油、ＨＶＯ）またはそれらの混合物であってもよいし、またはそれを含有していてもよい。ディーゼル用ベース燃料は、酸素化物であってもよいし、またはそれを含有していてもよく、このような酸素化物としては、例えば脂肪酸アルキルエステル、特に脂肪酸メチルエステル（ＦＡＭＥ）、例えば菜種メチルエステル（ＲＭＥ）またはパーム油メチルエステル（ＰＯＭＥ）が挙げられる。
【０１００】
ディーゼル用ベース燃料は、典型的には、１５０または１８０から３７０℃までの範囲で沸騰すると予想される（ＡＳＴＭ  Ｄ８６またはＥＮ  ＩＳＯ３４０５）。ディーゼル用ベース燃料は、好適には４０〜７０、または４０〜６５、または５１〜６５、または７０の測定セタン価（ＡＳＴＭ  Ｄ６１３）を有すると予想される。
【０１０１】
本発明の第二の形態に係るディーゼル燃料調合物は、ディーゼル用ベース燃料を、５０％ｖ／ｖまたはそれより高い、または６０もしくは７０もしくは８０％ｖ／ｖまたはそれより高い、または８５もしくは９０もしくは９５もしくは９８％ｖ／ｖまたはそれより高い濃度で含んでいてもよい。ベース燃料濃度は、最大９９．９９％ｖ／ｖ、または最大９９．９５％ｖ／ｖ、または最大９９．９もしくは９９．５％ｖ／ｖであってもよい。ベース燃料濃度は、最大９９％ｖ／ｖ、例えば最大９８もしくは９５もしくは９０％ｖ／ｖ、または場合によっては最大８５もしくは８０％ｖ／ｖであってもよい。
【０１０２】
ディーゼル燃料調合物が酸素化物またはＦＡＭＥなどのバイオディーゼル成分を含む場合、その濃度は、調合物全量に基づき１％ｖ／ｖまたはそれより高い、または２もしくは５％ｖ／ｖまたはそれより高い濃度であってもよく、または場合によっては７もしくは１０もしくは２０もしくは３０％ｖ／ｖまたはそれより高い濃度であってもよい。ＦＡＭＥ濃度は、最大１００％ｖ／ｖであってもよく（言い換えれば、ディーゼル燃料調合物は、ＦＡＭＥまたはＦＡＭＥの混合物からなっていてもよく、場合によっては１種またはそれより多くのディーゼル燃料添加剤を含んでいてもよい）、または最大９９もしくは９８もしくは９５％ｖ／ｖ、または最大９０もしくは８０もしくは７０もしくは６０もしくは５０％ｖ／ｖであってもよく、または場合によっては最大４０もしくは３０もしくは２０もしくは１０％ｖ／ｖ、例えば１〜４０％ｖ／ｖであってもよい。
【０１０３】
本発明の実施態様において、しかしながら、ディーゼル燃料調合物にとって、酸素化物成分または少なくともＦＡＭＥ（例えばＰＯＭＥ）を含有しないか、またはそれらを低濃度（例えば５％ｖ／ｖまたはそれ未満、または２％ｖ／ｖまたはそれ未満、または１もしくは０．５％ｖ／ｖまたはそれ未満）でしか含有しないことが好ましい場合がある。
【０１０４】
本発明に係るディーゼル燃料調合物は、適用される現行のディーゼル燃料の標準規格（複数可）、例えばＥＮ５９０（欧州の場合）またはＡＳＴＭ  Ｄ９７５（米国の場合）などに準拠していることが好適であると予想される。一例として、調合物全体は、１５℃で８２０〜８４５ｋｇ／ｍ３の密度（ＡＳＴＭ  Ｄ４０５２またはＥＮ  ＩＳＯ３６７５）；３６０℃またはそれ未満のＴ９５沸点（ＡＳＴＭ  Ｄ８６またはＥＮ  ＩＳＯ３４０５）；４０またはそれより大きい、理想的には５１またはそれより大きい測定セタン価（ＡＳＴＭ  Ｄ６１３）；４０℃で２〜４．５センチストークス（ｍｍ２／秒）の動粘性率（ＶＫ４０）（ＡＳＴＭ  Ｄ４４５またはＥＮ  ＩＳＯ３１０４）；５５℃またはそれより高い引火点（ＡＳＴＭ  Ｄ９３またはＥＮ  ＩＳＯ２７１９）；５０ｍｇ／ｋｇまたはそれ未満の硫黄含量（ＡＳＴＭ  Ｄ２６２２またはＥＮ  ＩＳＯ２０８４６）；−１０℃未満の曇り点（ＩＰ２１９）；および／または１１％ｗ／ｗ未満の多環式芳香族炭化水素（ＰＡＨ）含量（ＥＮ１２９１６）を有していてもよい。
【０１０５】
しかしながら関連する仕様は、国ごと、季節ごとおよび年ごとに異なる場合があり、調合物の意図した使用によっても左右される場合がある。さらに、ブレンド全体の特性は、その個々の成分の特性とかなり異なっている可能性がしばしばあることから、本発明に係るディーゼル燃料調合物は、これらの範囲から外れた特性を有する個々の燃料成分を含有していてもよい。
【０１０６】
本発明の第二の形態に係るディーゼル燃料調合物は、第一の形態の添加剤組成物に加えて、１種またはそれより多くの燃料添加剤または精油用添加剤を含んでいてもよい。多くのこのような添加剤は公知であり市販されている。このような添加剤は、ベース燃料中に存在していてもよいし、またはその調製中のあらゆるポイントで調合物に添加されてもよい。ディーゼル用ベース燃料またはディーゼル燃料調合物中に包含され得る好適なタイプの燃料添加剤の非限定的な例としては、セタン価向上剤、帯電防止添加剤、潤滑添加剤、低温流動性添加剤、およびそれらの組み合わせ、加えてそのための溶媒、希釈剤およびキャリアーが挙げられる。このような添加剤は、燃料調合物中に、最大４，０００ｐｐｍｗ、または最大３，０００もしくは２，０００もしくは１，０００もしくは５００もしくは３００ｐｐｍｗ、例えば５０〜４，０００ｐｐｍｗもしくは５０〜１，５００ｐｐｍｗもしくは５０〜１，０００ｐｐｍｗもしくは５０〜５００ｐｐｍｗもしくは５０〜３００ｐｐｍｗの濃度で包含されてもよい。
【０１０７】
本発明に係るディーゼル燃料調合物は、圧縮点火（ディーゼル）内燃機関での使用に好適であるか、および／またはそのような使用に適合されると予想される。本発明に係るディーゼル燃料調合物は、特に自動車用ディーゼル燃料としての使用に好適であるか、および／またはそのような使用に適合させることができる。さらなる実施態様において、本発明に係るディーゼル燃料調合物は、工業用ガス油として、または暖房用油として、または船舶用ディーゼル燃料として使用するのに好適であるか、および／またはそのような使用に適合させることができる。
【０１０８】
本発明の第二の形態によれば、ディーゼル燃料調合物中の添加剤組成物の濃度は、例えば５０ｐｐｍｗまたはそれより高い、または１００もしくは２５０もしくは５００ｐｐｍｗまたはそれより高い濃度であってもよい。その濃度は、例えば最大１０，０００ｐｐｍｗ、または最大５，０００もしくは４，０００もしくは３，０００もしくは２，０００もしくは１，５００ｐｐｍｗ、例えば５００〜１，５００ｐｐｍｗであってもよい。これらの濃度は、添加剤組成物中のあらゆる溶媒キャリアーまたは包接錯体と共に存在する他の化学種に関わりなく、燃料調合物中のセタン価向上剤−シクロデキストリン包接錯体の濃度と相関する。
【０１０９】
燃料調合物全体におけるセタン価向上剤の濃度が、例えば５ｐｐｍｗまたはそれより高い、または１０ｐｐｍｗまたはそれより高い、または２５もしくは５０ｐｐｍｗまたはそれより高い濃度になるように、添加剤組成物の濃度を選んでもよい。この濃度は、例えば最大１，０００ｐｐｍｗ、または最大５００ｐｐｍｗ、または最大３００もしくは２００もしくは１５０ｐｐｍｗ、例えば５０〜１５０ｐｐｍｗであってもよい。
【０１１０】
本発明の第二の形態に係るディーゼル燃料調合物において、添加剤組成物の好ましい特色（例えば改変シクロデキストリン（Ｉ）およびセタン価向上剤の性質および濃度）は、上記で本発明の第一の形態に関して説明した通りであってもよい。特に、改変シクロデキストリン（Ｉ）は、上記で定義されたタイプのアルキル化シクロデキストリンであってもよい。
【０１１１】
第三の形態によれば、本発明は、ディーゼル燃料調合物の調製方法を提供し、本方法は、場合により１種またはそれより多くの追加のディーゼル燃料添加剤と共に、第一の形態に係る添加剤組成物と、１種またはそれより多くのディーゼル燃料成分（例えばディーゼル用ベース燃料）とを一緒に混合することを含む。添加剤組成物および燃料成分（複数可）ならびにそれと混合される添加剤（複数可）の好ましい特色は、上記で本発明の第一および第二の形態に関して説明した通りであってもよい。
【０１１２】
添加剤組成物とディーゼル燃料調合物の他の成分とは、調合物を使用する前のあらゆる好適な時間で、例えば製油所で、または製油所下流の配送もしくは分配ポイントで、特に製油所または燃料貯蔵庫内の配送ポイントで混合されてもよい。シクロデキストリンホスト分子は、封入されたセタン価向上剤を安定化して、熱、光、酸素および可能性のある他の反応物などの外部の影響からそれを保護するのに役立つことから、燃料調合物の貯蔵、輸送機関および使用のタイミングという観点でどの段階で添加剤組成物を燃料調合物に取り込むことができるかに関して、本発明は、より大きい柔軟性をもたらすことができる。
【０１１３】
一実施態様において、本発明の第三の形態の方法は、例えば、１種またはそれより多くのディーゼル燃料成分と添加剤組成物とを混合する前に、上記で説明したような予備混合物を使用して添加剤組成物を調製することを含む。一実施態様において、第三の形態の方法は、このような予備混合物を、１種またはそれより多くのディーゼル燃料成分と混合することを含む。このようにして得られた改変シクロデキストリン含有予備混合物を含むディーゼル燃料調合物は、本発明の第二または第三の形態を実施するのに必須の要素を構成する場合がある。
【０１１４】
一実施態様において、改変シクロデキストリン（Ｉ）は、セタン価向上剤とは別々に、１種またはそれより多くのディーゼル燃料成分と混合されてもよい。例えば改変シクロデキストリン（Ｉ）は、すでにセタン価向上剤を含有するディーゼル燃料成分の混合物に添加されてもよいし、または改変シクロデキストリン（Ｉ）は、セタン価向上剤の添加前にディーゼル燃料成分の混合物に添加されてもよい。
【０１１５】
本発明の第四の形態によれば、ディーゼル燃料消費システムの稼働方法、および／またはこのようなシステムによって稼働する装置（例えば乗り物または暖房器具）が提供され、本方法は、システムに、本発明の第一の形態に係る添加剤組成物、または第二の形態に係るディーゼル燃料調合物を導入することを含む。この方法は、例えば、ディーゼル燃料消費システムの燃焼室に添加剤組成物または調合物を導入することを含んでいてもよい。本システムは、例えば内燃機関、特に圧縮点火エンジンであってもよい。
【０１１６】
本発明の第五の形態は、添加剤組成物中またはディーゼル燃料調合物中のセタン価向上剤用の媒体としての、上述した式（Ｉ）の改変シクロデキストリンの使用を提供する。
【０１１７】
上記で説明したように、改変シクロデキストリン（Ｉ）中へのセタン価向上剤の封入は、ディーゼル燃料調合物において多数の有益な作用を有する可能性がある。第一に、封入は、熱、光、酸素、およびセタン価向上剤が別の方式で相互作用するかもしれない調合物中の他の化学種などの外部の影響からセタン価向上剤を保護するのに役立つ可能性がある。したがって、封入は、セタン価向上剤が望ましくない化学的プロセスに巻き込まれる可能性の程度を低下させることができる。第二に、シクロデキストリンは、封入されたセタン価向上剤の揮発性を低くするのに役立つ可能性がある。これらの方式および場合により他の方式で、シクロデキストリンは、セタン価向上剤の安定性、加えてセタン価向上剤との相互作用により弱められた可能性がある調合物中の他の化学種の安定性を向上させることができる。
【０１１８】
場合によっては、シクロデキストリンそれ自身の固有の溶解性により、すなわちホスト分子が効果的にそれ自身の溶解性を封入されたゲスト分子に付与するために、シクロデキストリンは、ディーゼル燃料調合物へのセタン価向上剤の可溶化に役立つ可能性がある。
【０１１９】
このような作用は、例えば望ましい活性型でのセタン価向上剤の利用率を増加させたり、および／または使用中の所定の時間においてより多くのセタン価向上剤が利用できるようにその寿命を長くしたりすることによって、セタン価向上剤の活性を効果的に増加させることができる。したがって本発明は、以下で本発明の第八の形態に関して説明するように、ディーゼル燃料調合物中でより低いセタン価向上剤濃度を使用することを可能にする。
【０１２０】
場合によっては、上記で説明したメカニズムによるか、または何かそれ以外のあまりよく理解されていない活性物質とホスト分子との相互作用を介するかに関わらず、改変シクロデキストリン（Ｉ）への封入は、ディーゼル燃料調合物の特性および／または性能に対して活性物質が有する作用の性質を改変できることが発見された。それにより、別の方式ではセタン価向上剤として活性ではないか、またはそのセタン価を向上させる活性が別の方式では望ましい最小値よりも低いと予想される物質を、セタン価向上剤として使用できるようになる可能性がある。また、ディーゼル燃料調合物中で他の活性物質をより低い濃度で使用できるようになる可能性もある。
【０１２１】
したがって、本発明の第六の形態は、以下の目的：
ｉ．組成物または調合物中のセタン価向上剤の溶解性を改変すること（特に増加させること）；
ｉｉ．組成物または調合物中のセタン価向上剤の活性を改変すること（特にその性質を増加させたり、または変化させたりすること）；
ｉｉｉ．組成物または調合物中のセタン価向上剤の安定性を改変すること（特に増加させること）；
ｉｖ．組成物または調合物中のセタン価向上剤の揮発性を改変すること（特に低下させること）；および
ｖ．組成物または調合物中で晒される可能性がある外部の影響、例えば熱、光、酸素、または組成物または調合物中に存在する別の化学種から、セタン価向上剤を少なくとも部分的に保護すること
のうち１つまたはそれより多くのための、添加剤組成物またはディーゼル燃料調合物におけるセタン価向上剤と組み合わせた上述の式（Ｉ）の改変シクロデキストリンの使用を提供する。
【０１２２】
この本発明の形態および他の形態の内容において、用語「セタン価向上剤」はまた、改変シクロデキストリン（Ｉ）の非存在下だと、ディーゼル燃料調合物中でセタン価向上剤として活性ではないか、またはそのセタン価を向上させる活性が、ディーゼル燃料調合物中で望ましい最小値よりも低いと予想される活性物質も包含する。
【０１２３】
この本発明の第六の形態の一実施態様において、改変シクロデキストリン（Ｉ）は、少なくとも目的（ｉ）のために、または少なくとも目的（ｉ）および（ｉｉ）のために使用される。一実施態様において、改変シクロデキストリン（Ｉ）は、少なくとも目的（ｉｉｉ）のために、または少なくとも目的（ｉｉｉ）および（ｉｖ）のために、または少なくとも目的（ｉｉｉ）および（ｖ）のために、または少なくとも目的（ｉｉｉ）および（ｉｖ）および（ｖ）のために使用される。一実施態様において、改変シクロデキストリン（Ｉ）は、少なくとも目的（ｖ）のために、または少なくとも目的（ｉｖ）のために使用される。
【０１２４】
また、改変シクロデキストリン（Ｉ）は、ゲスト分子として封入するセタン価向上剤の送達を標的化するか、または別の方式で制御するのに使用できることも見出された。所定の条件下でのみ、例えばホスト−ゲスト錯体の解離、別の競合ゲスト分子でのセタン価向上剤の交換、またはシクロデキストリンホスト分子またはその大環状構造の分解（例えば蒸発または化学分解による）を引き起こす条件下でのみ、シクロデキストリンホスト分子からセタン価向上剤が放出される。放出条件以外の場合では、シクロデキストリンは、セタン価向上剤を保持してそれを外部の影響から保護することができる。放出条件下では、セタン価向上剤は、シクロデキストリンの空孔から離れて他所の反応で利用可能になる。したがって、上記で説明したように、セタン価向上剤の送達は、具体的な温度もしくは圧力範囲、または剪断力などの具体的な適用された力、または競合ゲスト分子などの別の化学種の導入などの具体的な一連の条件を標的化できる。選ばれたセタン価向上剤を用いて、望ましい条件または一連の条件下で解離する包接錯体が達成されるように、改変シクロデキストリン（Ｉ）を設計することが可能である。この本発明の形態は、例えば燃料噴射システムまたは燃焼室内のようなセタン価向上剤が最も多く利用される可能性が高い、ディーゼル燃料消費システム内の領域および／またはディーゼル燃料調合物の使用期間にセタン価向上剤の送達を標的化することにおいて有用な可能性がある。その代わりに、またはそれに加えて、本発明は、具体的な環境に、例えば具体的な気候またはディーゼル燃料消費システム内の具体的な一連の動作条件にセタン価向上剤の送達を標的化するのに使用される可能性がある。それにより、送達前に、例えば貯蔵および輸送中に、ダメージを与える可能性がある外部の影響からセタン価向上剤を保護できる。
【０１２５】
したがって、本発明の第七の形態は、組成物もしくは調合物内または組成物もしくは調合物からのセタン価向上剤の送達を制御する目的のための、添加剤組成物またはディーゼル燃料調合物におけるセタン価向上剤と組み合わせた式（Ｉ）の改変シクロデキストリンの使用を提供する。
【０１２６】
この本発明の第七の形態の内容において、セタン価向上剤の送達を「制御すること」は、セタン価向上剤の送達の時間、位置および／または速度を改変することを含んでいてもよい。上記制御は、例えば所定時間にわたり持続放出が達成されるように、添加剤組成物もしくはディーゼル燃料調合物に、またはそれらからセタン価向上剤が送達される速度を改変することを含んでいてもよい。
【０１２７】
セタン価向上剤の送達を制御することは、具体的な時間または位置または条件（例えば温度、圧力および／または剪断の条件）にその送達を標的化することを含んでいてもよい。上記制御は、セタン価向上剤の送達速度を改変すること；それが送達される時間もしくは位置または条件を改変すること；標的位置に到達するセタン価向上剤の量もしくは比率、または具体的な期間内に標的位置に到達する量もしくは比率を改変すること；ならびに／またはより正確に具体的な時間もしくは位置に送達を標的化することを含んでいてもよい。上記制御は、標的時間または位置でのセタン価向上剤の有効性または認められる有効性を改変すること（特に強化すること）を含んでいてもよく、これは、セタン価向上剤が標的時間または位置でディーゼル燃料調合物に与える作用（特にセタン価を向上させる作用）の速度および／もしくは規模および／もしくは持続時間および／もしくは場所を改変すること（特に増加させること）、または作用の速度、規模、タイミング、持続時間もしくは場所への制御を増加させることを含んでいてもよい。本発明は、このようなパラメーターのあらゆる程度の改変を達成するのに使用される可能性がある。
【０１２８】
本発明の内容において、セタン価向上剤の「送達」と述べられる場合、それは、セタン価向上剤が存在するディーゼル燃料調合物の特性および／または性能を改変できる形態でセタン価向上剤を利用可能な状態にすることを指す。典型的には、「送達」は、シクロデキストリン包接錯体からのセタン価向上剤の放出を含むと予想される。
【０１２９】
一実施態様において、改変シクロデキストリン（Ｉ）は、ディーゼル燃料消費システム内の具体的な位置に、特に燃料噴射または燃料燃焼領域にセタン価向上剤の送達を標的化するのに使用される。改変シクロデキストリン（Ｉ）は、具体的なタイムポイントに、特にディーゼル燃料消費システム内での燃料噴射または燃料燃焼時にセタン価向上剤の送達を標的化するのに使用される可能性がある。改変シクロデキストリン（Ｉ）は、具体的な位置での、または具体的な期間中での、例えば貯蔵および／または輸送中でのセタン価向上剤の放出を予防または抑制するのに使用される可能性があり、これは、セタン価向上剤が健康上または安全上の危険を有する場合に有用であり得る。
【０１３０】
例えば、現代のコモンレール技術を用いたディーゼルエンジンでは、タンクからの燃料は、燃料噴射器に到達する前に高温および高圧に晒される。このようにして晒された燃料の一部のみが噴射され、残りは燃料タンクに戻されるが、温度および／または圧力の変化に晒されたために、そこで分解を起こす可能性が高くなる。本発明は、燃焼領域上流の温度または圧力の変化とそれによって生じる分解の危険から保護しながら、燃料燃焼領域にセタン価向上剤の送達を標的化するのに使用される可能性がある。
【０１３１】
改変シクロデキストリン（Ｉ）は、燃料消費システム中の別の化学種の存在と同時にセタン価向上剤の放出を標的化するのに使用される可能性がある。
【０１３２】
本発明の第七の形態に係る改変シクロデキストリン（Ｉ）の使用は、ディーゼル燃料消費システム（例えばエンジン）に、添加剤組成物またはディーゼル燃料調合物を導入すること、その後、システム内の該組成物または該調合物を、シクロデキストリンと共に形成される包接錯体からの少なくとも部分的なセタン価向上剤の放出を誘導する条件に晒すことを含んでいてもよい。この条件は、例えば、予め決められた範囲内の温度もしくは圧力、または予め決められた範囲内の剪断力、またはセタン価向上剤の放出を誘導できる別の化学種の存在であってもよい。
【０１３３】
したがって、本発明の第七の形態は、ディーゼル燃料消費システムにセタン価向上剤を送達する方法の一部を構成または形成していてもよく、本方法は、上記で説明した導入および放出を誘導する工程を含む。
【０１３４】
本発明の第六および第七の形態は、セタン価向上剤の溶解性、安定性、活性または送達速度などの関連パラメーターをあらゆる程度に改変することに使用される可能性がある。
【０１３５】
本発明は、セタン価向上剤の活性、利用可能性、溶解性もしくは安定性を向上させたり、またはその活性もしくは利用可能性を標的化したりするのに使用できることから、本発明は続いて、セタン価向上剤が添加されるディーゼル燃料調合物へのセタン価向上剤の全体的な作用を損なうことなくより低いセタン価向上剤濃度を使用できるようにする可能性がある。その代わりに、またはそれに加えて、本発明は、別の方式でディーゼル燃料調合物への望ましい作用を達成するのに必要な場合がある他の添加剤をより低い濃度で使用できるようにする可能性がある。そのため本発明は、調合物の調製にかかるコストと複雑さを低減し、および／またはディーゼル燃料調合物の実用性により大きい多様性を付与できる。
【０１３６】
したがって、第八の形態によれば、本発明は、組成物または調合物中に存在する添加剤の濃度を低下させる目的のための、添加剤組成物またはディーゼル燃料調合物におけるセタン価向上剤と組み合わせた上述した式（Ｉ）の改変シクロデキストリンの使用を提供する。一実施態様において、改変シクロデキストリン（Ｉ）は、セタン価向上剤の濃度を低下させる目的のために使用される。一実施態様において、改変シクロデキストリン（Ｉ）は、別のディーゼル燃料添加剤、例えば別のセタン価向上添加剤の濃度を低下させる目的のために使用される。
【０１３７】
本発明の第八の形態の内容において、用語「〜を低下させること」は、低下からゼロまでのあらゆる程度の低下を包含する。低下は、例えば関連添加剤の元の濃度の１０％もしくはより大きい低下、または２５もしくは５０もしくは７５もしくは９０％またはそれより大きい低下であってもよい。低下は、意図された組成物または調合物の使用状況においてそれに必要なおよび／または望ましい特性および性能を獲得するために組成物または調合物に別の方式で取り込まれたであろう添加剤の濃度と比較したときの低下であってもよい。この濃度は、例えば、本発明によって提供される方法での改変シクロデキストリン（Ｉ）の使用が達成される前の組成物または調合物中に存在していた添加剤の濃度であってもよいし、および／または本発明に従って添加剤組成物または燃料調合物に改変シクロデキストリン（Ｉ）が添加される前に、類似の状況で使用するために意図された（例えば市販された）、その他の点で類似した添加剤組成物または燃料調合物中に存在していた添加剤の濃度であってもよい。
【０１３８】
添加剤の濃度の低下は、改変シクロデキストリン（Ｉ）の非存在下で組成物または調合物にとって望ましい特性または性能を達成するのに必要であると予測された添加剤の濃度と比較したときの低下であってもよい。
【０１３９】
本発明の第九の形態によれば、ディーゼル燃料調合物またはそれらの構成要素のセタン価を増加させる目的のための、第一の形態に係る添加剤組成物の使用が提供される。組成物は、調合物または成分のセタン価のあらゆる程度の向上を達成するため、および／または望ましい目標セタン価を達成するかまたはそれを上回るようにするために使用される可能性がある。
【０１４０】
燃料調合物または構成要素のセタン価は、あらゆる好適な方法、例えばいわゆるエンジンの稼働条件下で得られた「測定」セタン価を提供する標準的な試験法であるＡＳＴＭ  Ｄ６１３（ＩＳＯ５１６５、ＩＰ４１）を使用して決定することが可能である。その代わりにセタン価はまた、定容燃焼室に導入された燃料サンプルの噴射と燃焼との間の時間遅延に基づいて「導出」セタン価を提供するより最新の「点火特性試験」（ＩＱＴ）（ＡＳＴＭ  Ｄ６８９０、ＩＰ４９８）を使用して決定することも可能である。この比較的迅速な技術は、多様な燃料の実験室スケール（約１００ｍｌ）のサンプルに使用できる。
【０１４１】
その代わりに、セタン価は、例えばＵＳ５，３４９，１８８で説明されているように近赤外（ＮＩＲ）分光法によっても測定が可能である。この方法は、例えばＡＳＴＭ  Ｄ６１３ほど煩雑ではない可能性があるために、製油環境において好ましい場合がある。ＮＩＲ測定は、測定されたサンプルのスペクトルと実際のセタン価との相関を利用する。基礎となるモデルは、様々な燃料サンプルの公知のセタン価とそれらの近赤外線スペクトルデータとを相関させることにより作製される。
【０１４２】
一実施態様において、本発明は、４０またはそれより高い、または４５もしくは５０もしくは５１またはそれより高い、例えば５５もしくは６０またはそれより高い、場合によっては６５もしくは７０もしくは７５またはそれより高い導出セタン価（ＡＳＴＭ  Ｄ６８９０）を有するディーゼル燃料調合物をもたらす。
【０１４３】
それに加えて、またはその代わりに、本発明を使用して、セタン価と同等の、またはセタン価に関連するディーゼル燃料調合物またはそれらの構成要素のあらゆる特性を調節することができ、例えばその燃焼性能を改善する（例えば点火遅れを短くする、常温始動を容易にする、および／または燃料調合物または構成要素で稼働する燃料消費システムにおける不完全燃焼および／もしくはそれに伴う排気を低減させる）、ならびに／または燃料の経済性を改善することができる。
【０１４４】
本発明の内容において、ディーゼル燃料調合物またはそれらの成分における改変シクロデキストリン（Ｉ）の「使用」は、シクロデキストリンを、典型的には、セタン価向上剤と共に、１種またはそれより多くの他のディーゼル燃料成分、例えばディーゼル用ベース燃料、および場合によっては１種またはそれより多くのディーゼル燃料添加剤を含むブレンド（すなわち物理的な混合物）として調合物または成分に取り込むことを意味する。シクロデキストリンは、都合のよい形態としては、ただし必ずしもそれに限られないが、燃料消費システムに調合物または成分が導入される前に取り込まれると予想される。その代わりに、またはそれに加えて、改変シクロデキストリン（Ｉ）の使用は、典型的にはエンジンの燃焼室にシクロデキストリンを含有するディーゼル燃料調合物を導入することによって、そのような調合物で燃料消費システム、典型的には内燃機関を稼働させることを含んでいてもよい。改変シクロデキストリン（Ｉ）の使用は、燃料消費システムによって駆動する乗り物または他の装置を、シクロデキストリンを含有するディーゼル燃料調合物で稼働させることを含んでいてもよい。
【０１４５】
また上記で説明した方法での改変シクロデキストリン（Ｉ）の「使用」は、上記で本発明の第五から第九の形態に関して説明した目的のうち１つまたはそれより多くのための、ディーゼル燃料調合物またはそれらの成分におけるシクロデキストリン使用の説明書と共にシクロデキストリンを供給することを包含する場合もある。シクロデキストリンはそれ自身、ディーゼル燃料添加剤、特に本発明の第一の形態に係る添加剤組成物、またはそのための予備混合物として使用するのに好適であるか、および／または適合されているか、および／または意図されている組成物の一部として供給されてもよい。このケースにおいて、上記で本発明の第五から第九の形態に関して説明したあらゆる目的のうち１つまたはそれより多くのために、改変シクロデキストリンは、このような組成物または予備混合物中に包含されていてもよい。
【０１４６】
したがって改変シクロデキストリン（Ｉ）は、本発明の第一の形態に係る添加剤組成物またはそのための予備混合物の形態でディーゼル燃料調合物またはそれらの成分に使用される可能性がある。それゆえに改変シクロデキストリン（Ｉ）の「使用」は、本発明の添加剤組成物または予備混合物の「使用」を含む場合がある。
【０１４７】
添加剤組成物での改変シクロデキストリン（Ｉ）の「使用」は、シクロデキストリンを、典型的にはセタン価向上剤、１種またはそれより多くの溶媒キャリアー、および場合によっては１種またはそれより多くの追加のディーゼル燃料添加剤を含むブレンド（すなわち物理的な混合物）として組成物に取り込むことを意味する。都合のよい形態としては、ただし必ずしもそれに限られないが、シクロデキストリンは、ディーゼル燃料調合物もしくはそれらの成分に、またはディーゼル燃料消費システムに組成物が導入される前に取り込まれると予想される。シクロデキストリンは、上記で説明したような予備混合物の形態で取り込まれてもよい。その代わりに、またはそれに加えて、改変シクロデキストリン（Ｉ）の使用は、典型的にはシステムの燃焼領域に、添加剤組成物中にシクロデキストリンを含有するディーゼル燃料調合物を導入することによって、そのような調合物でディーゼル燃料消費システム、典型的には内燃機関を稼働させることを含んでいてもよい。改変シクロデキストリン（Ｉ）の使用は、燃料消費システムによって駆動する乗り物または他の装置を、添加剤組成物中にシクロデキストリンを含有するディーゼル燃料調合物で稼働させることを含んでいてもよい。
【０１４８】
また上記で説明した方法での改変シクロデキストリン（Ｉ）の「使用」は、上記で本発明の第五のから第九の形態に関して説明した目的のうち１つまたはそれより多くのための、添加剤組成物におけるシクロデキストリン使用の説明書と共にシクロデキストリンを供給することを包含する場合もある。
【０１４９】
一般的に、添加剤組成物または燃料調合物または燃料成分に、成分を「添加する」または成分を「取り込む」と述べられる場合、これは、組成物もしくは調合物もしくは成分の生産中のあらゆるポイント、またはその使用前のあらゆる時点での添加または取り込みを包含するものと解釈できる。
【０１５０】
実施態様において、本発明を使用して、少なくとも１，０００リットルの改変シクロデキストリン含有添加剤組成物またはディーゼル燃料調合物、または少なくとも５，０００もしくは１０，０００もしくは２０，０００もしくは５０，０００リットルの改変シクロデキストリン含有添加剤組成物またはディーゼル燃料調合物を生産することができる。
【０１５１】
本発明に係る、または本発明に従って調製もしくは使用されるディーゼル燃料調合物は、特に調合物中に存在するセタン価向上剤の有効性、安定性、溶解性もしくは活性の向上；このようなセタン価向上剤の送達の向上；および／または調合物中のセタン価向上剤もしくは他の活性物質の濃度の低減といった、改変シクロデキストリン（Ｉ）を包含することによる向上の利益を有すると表示して販売してもよい。このような調合物の販売は、（ａ）関連する表示を含む容器中に調合物を入れること；（ｂ）そのような表示を含む製品パンフレットと共に調合物を供給すること；（ｃ）調合物を説明する出版物または看板（例えば販売場所の）にそのような表示を出すこと；および（ｄ）例えばラジオ、テレビまたはインターネットで放映されるコマーシャルにそのような表示を出すことから選択される活動を含んでいてもよい。このような表示において、向上は、少なくとも部分的に改変シクロデキストリン（Ｉ）の存在に起因するとしてもよい。本発明は、調合物の調製中またはその後に調合物の関連する特性を評価することを含んでいてもよい。本発明は、例えば改変シクロデキストリンが調合物中で関連する向上に寄与していることが確認できるように、改変シクロデキストリン取り込みの前および後の両方で関連する特性を評価することを含んでいてもよい。
【０１５２】
本発明に係る、または本発明に従って調製もしくは使用される添加剤組成物は、特に組成物中に存在するセタン価向上剤の有効性、安定性、溶解性もしくは活性の向上；このようなセタン価向上剤の送達の向上；および／または組成物中のセタン価向上剤もしくは他の活性物質の濃度の低減といった、改変シクロデキストリン（Ｉ）を包含することによる向上の利益を有すると表示して販売してもよい。このような組成物の販売は、（ａ）関連する表示を含む容器中に組成物を入れること；（ｂ）そのような表示を含む製品パンフレットと共に組成物を供給すること；（ｃ）組成物を説明する出版物または看板（例えば販売場所の）にそのような表示を出すこと；および（ｄ）例えばラジオ、テレビまたはインターネットで放映されるコマーシャルにそのような表示を出すことから選択される活動を含んでいてもよい。このような表示において、向上は、少なくとも部分的に改変シクロデキストリン（Ｉ）の存在に起因するとしてもよい。本発明は、組成物の調製中またはその後に組成物の関連する特性を評価することを含んでいてもよい。本発明は、例えば改変シクロデキストリンが組成物中で関連する向上に寄与していることが確認できるように、改変シクロデキストリン取り込みの前および後の両方で関連する特性を評価することを含んでいてもよい。
【０１５３】
ここに記載された説明および特許請求の範囲の全体にわたり、「含む」および「含有する」という文言およびその文言の変化形、例えば「含むこと」および「含む」は、「これらに限定されないが、〜が挙げられる」を意味し、他の部分、添加剤、成分、整数または工程を排除しない。さらに単数形は、文脈上他の意味が指定されない限り、複数形を包含する。特に不定冠詞が使用される場合、本明細書では、文脈上他の意味が指定されない限り、単数形と同様に複数形も意図しているものと理解されることとする。
【０１５４】
本発明の各形態の好ましい特色は、他の形態のいずれかに関して説明されているのと同様であってもよい。本発明の他の特色は、以下の実施例から明らかになると予想される。一般的に言えば、本発明は、本明細書（添付された全ての特許請求の範囲および図面を包含する）で開示された特色のうちいずれか新規のもの、またはそれらのあらゆる新規の組み合わせに及ぶ。したがって本発明の特定の形態、実施態様または実施例と共に説明された特色、整数、特徴、化合物、化学成分または基は、本明細書で説明される他のあらゆる形態、実施態様または実施例にも矛盾がない限り適用可能であると理解されるものとする。例えば、誤解を避けるために言えば、改変シクロデキストリン（Ｉ）、セタン価向上剤およびディーゼル燃料調合物の任意選択の特色および好ましい特色（濃度を包含する）は、改変シクロデキストリン、セタン価向上剤またはディーゼル燃料調合物について言及された本発明の全ての形態に適用できる。
【０１５５】
さらに特に他の指定がない限り、本明細書において開示されたあらゆる特色は、同じまたは類似の目的に役立つ代替の特色で置き換えることもできる。
【０１５６】
特性に関して、例えば添加剤または燃料成分の濃度に関して上限および下限が述べられる場合、上限のいずれかと下限のいずれかとの組み合わせで定義された値の範囲も意味する可能性がある。
【０１５７】
本明細書において、シクロデキストリン、セタン価向上剤、燃料および燃料成分の特性などの物理的特性について述べられる場合、それらは、特に他の指定がない限り、周囲条件下で、すなわち大気圧で、１６から２２もしくは２５℃、または１８から２２もしくは２５℃、例えば約２０℃の温度で測定された特性である。
【０１５８】
ここで本発明を、以下の非限定的な実施例および添付の例示的な図面を参照しながらさらに説明する。
【０１５９】
図１Ａ〜１Ｄは、以下の実施例１〜３で行われたセタン価測定の結果を示す棒グラフである。
【０１６０】
図２Ａ〜２Ｃ、３Ａおよび３Ｂは、以下の実施例４で行われた揮発実験の結果を示すグラフである。
【０１６１】
図３Ｃは、実施例４で論じられたように図３Ａおよび３Ｂと比較した典型的なＦＡＭＥ非含有ディーゼル燃料の蒸留曲線である。
【実施例】
【０１６２】
実施例１−ＤＴＢＰ添加剤
本発明に従って、混練法を使用して式（Ｉ）の改変シクロデキストリンを公知のセタン価向上剤であるジ−ｔ−ブチルペルオキシド（ＤＴＢＰ）とブレンドすることによって固体添加剤組成物を調製した。組成物は、ガスクロマトグラフィーによって決定したところ３．５％ｗ／ｗのＤＴＢＰ濃度を有していた。
【０１６３】
次いで本発明に従って、得られた添加剤組成物を、完成した燃料調合物においてそれぞれ３５および３５０ｐｐｍｗのＤＴＢＰに相当する１，０００ｐｐｍｗおよび１０，０００ｐｐｍｗの両方の供給率でディーゼル用ベース燃料ＢＦ１とブレンドすることによってディーゼル燃料調合物を調製した。ブレンドは、添加剤組成物をベース燃料に混合して、固体が完全に溶解するまでこの混合物をかき混ぜることによって実行された。
【０１６４】
燃料調合物中におけるセタン価向上剤の有効性を評価するために、標準的な試験方法であるＩＰ４９８／０６を使用して、それらのＩＱＴセタン価を測定した。比較目的で、ベース燃料単独と、（ａ）封入されていないＤＴＢＰ、すなわち改変シクロデキストリンの非存在下のＤＴＢＰを有する、および（ｂ）シクロデキストリン単独を有するベース燃料のブレンドとでＩＰ４９８／０６のセタン価も測定した。
【０１６５】
ベース燃料ＢＦ１は、７％ｖ／ｖの生物燃料成分ＰＯＭＥ（パーム油メチルエステル）を含有するいわゆる「Ｂ７」ディーゼル用ベース燃料であった。ＢＦ１は、シェル（Shell）のグループ会社から供給され、欧州のディーゼル燃料の仕様ＥＮ５９０に準拠していた。ＢＦ１は、洗浄剤またはセタン価向上添加剤をまったくを含有していなかった。以下の表１にその特性をまとめた。
【０１６６】
【表１】
0006298076.tif 000003
【０１６７】
ＤＴＢＰは、ＶＷＲから供給された。シクロデキストリンは、（２，３，６−トリ−Ｏ−メチル）−β−シクロデキストリン、すなわち上記で定義されたｎ＝７であり、Ｒ１、Ｒ２およびＲ３が全てのメチルの式（Ｉ）のシクロデキストリンであり、これは、シグマ−アルドリッチ（Sigma-Aldrich）から供給された。ＤＴＢＰ−シクロデキストリン錯体は、シクロラボＲ＆Ｄラボラトリー（Cyclolab R&D Laboratory）（ハンガリー）から供給された。
【０１６８】
以下の表２にセタン価測定の結果を示す。「ＣＮ」は、ＩＰ４９８／０６によるセタン価を指し；「ＣｙＤ」は、改変シクロデキストリンを指す。記載された「活性物質」濃度は、ＤＴＢＰ単独を指す。「供給量」の数値は、試験燃料調合物中に存在するＤＴＢＰまたはＤＴＢＰ−シクロデキストリン錯体いずれかの濃度である。Δ値は、ベース燃料ＢＦ１単独のセタン価と比較したセタン価の変化を表す。Δ値を計算するために、ＢＦ１および／またはＣｙＤのみを含有する調合物の「活性物質」濃度を１とした。
【０１６９】
実施例３の最後で結果を考察した。
【０１７０】
実施例２−カルバゾール添加剤
ＤＴＢＰの代わりに他の公知の燃焼促進剤であるカルバゾールを使用したこと以外は、実施例１を繰り返した。カルバゾールは、ＶＷＲから供給された。カルバゾールを改変シクロデキストリンとブレンドして、ＵＶ−ｖｉｓ分光分析によって決定したところ７．４％ｗ／ｗのカルバゾール濃度を有する固体形態の添加剤組成物を得た。カルバゾール−シクロデキストリン錯体は、シクロラボＲ＆Ｄラボラトリー（ハンガリー）から供給された。
【０１７１】
表２に、セタン価測定の結果も示した。この内容において、記載された「活性物質」濃度は、カルバゾール（ＣＢＺ）単独を指す。「供給量」の数値は、試験燃料調合物中に存在するカルバゾールまたはカルバゾール−シクロデキストリン錯体いずれかの濃度である。これらの結果も、実施例３の最後で考察した。
【０１７２】
実施例３−ＮＭＡ添加剤
ＤＴＢＰの代わりにＮ−メチルアニリン（ＮＭＡ）を使用したこと以外は、実施例１を繰り返した。ＮＭＡは、ガソリン燃料調合物のオクタンブースターとして使用されてきたものであり、したがってセタン価の抑制因子として作用することが公知である。ＮＭＡは、ＶＷＲから供給された。ＮＭＡを改変シクロデキストリンとブレンドして、ＵＶ−ｖｉｓ分光分析によって決定したところ７．２％ｗ／ｗのＮＭＡ濃度を有する固体形態の添加剤組成物を得た。ＮＭＡ−シクロデキストリン錯体は、シクロラボＲ＆Ｄラボラトリー（ハンガリー）から供給された，
表２に、セタン価測定の結果も示した。この内容において、記載された「活性物質」濃度は、ＮＭＡ単独を指し、「供給量」の数値は、試験燃料調合物中に存在するＮＭＡまたはＮＭＡ−シクロデキストリン錯体いずれかの濃度である。この実施例の最後で結果を考察した。
【０１７３】
【表２】
0006298076.tif 000004
【０１７４】
表２のデータを、図１で棒グラフとして示した。図１Ａは、ＢＦ１における、および１，０００ｐｐｍｗの添加剤組成物を含有する調合物における、改変シクロデキストリン存在下および非存在下の両方でのそれぞれの活性物質によって引き起こされたセタン価の変化を示す。図１Ｂは、１０，０００ｐｐｍｗの添加剤供給率で引き起こされたセタン価の変化を示す。図１Ａおよび１Ｂに記載のエラーバーは、ＩＰ４９８／０６で説明されているような０．７のセタン価の測定誤差を表す。図１Ｃおよび１Ｄは、それぞれ１，０００および１０，０００ｐｐｍｗの添加剤組成物を含有する調合物における、活性物質１ｐｐｍｗあたりのセタン価の変化を示す。
【０１７５】
実施例１〜３の考察
これらの実施例の結果から、改変シクロデキストリン単独では、ディーゼル用ベース燃料のセタン価に対して比較的わずかな作用しかないことが示される。
【０１７６】
実施例１は、公知のセタン価向上剤ＤＴＢＰは、燃料調合物全体におけるその濃度に応じた程度までベース燃料のセタン価を増加させたことを示す。ＤＴＢＰは、改変シクロデキストリンに封入されると、そのセタンを強化する活性を保持した（より大きいシクロデキストリン錯体の一部として添加された場合、実際のＤＴＢＰ濃度を考慮に入れた）。それにより、改変シクロデキストリン（Ｉ）は、ディーゼル用ベース燃料の添加剤のための媒体として好適であることが確認された。しかしながら、驚くべきことに、封入されたＤＴＢＰは、封入されていない場合と比較して、ベース燃料のセタン価に対してより大きい作用を有していた。この活性の増加は、より多くの添加剤供給率の場合よりも大きいようであり、同じセタン価を達成するのに最大でＤＴＢＰの９分の１未満しか要さない。ここで封入されたＤＴＢＰ（１．５×１０−２ｐｐｍｗ−１）の効力は、封入されていないＤＴＢＰの効力（１．４×１０−３ｐｐｍｗ−１）よりもほぼ１桁大きい。
【０１７７】
本発明者らはこの理論に拘束されることを望まないが、この作用は、改変シクロデキストリンに封入された場合、ＤＴＢＰの揮発性が効果的に低下することに起因する可能性があると考えられる（実施例４を参照）。封入された添加剤は、燃焼ポイントの前に燃料調合物から蒸発する可能性が低いか、または調合物内で分解する可能性が低い可能性があるため、結果として臨界期間で利用可能な添加剤はより高濃度になる。燃焼時に燃料調合物が晒される高温は、シクロデキストリンホストの分解とＤＴＢＰゲスト分子の揮発とを引き起こす可能性が高いことから、ＤＴＢＰは、最も必要とされる時間で燃料中のそのセタン価を高める作用を付与するのに役立つ。したがって、改変シクロデキストリンは、安定性を向上させてＤＴＢＰ添加剤の実効寿命を延長させるだけでなく、その送達を標的化することにも使用される可能性がある。
【０１７８】
実施例２は、カルバゾール単独では、ベース燃料のセタン価に対してほとんど作用を示さないことを示す。しかしながら、驚くべきことに、カルバゾールは、改変シクロデキストリンに封入されると、特により高い添加剤供給率でベース燃料のセタン価を有意に増加させることができた。したがって、別の方式ではセタン価向上剤としての使用が期待できないと予想される化合物（実際には、理論上、オクタンブースターとしてより優れていると知られている）は、改変シクロデキストリン（Ｉ）と組み合わせればセタン価向上剤として使用できるようである。本発明者らはこの理論に拘束されることを望まないが、この作用は、封入された添加剤の溶解性が効果的に増加したことに起因する可能性があると考えられる。カルバゾール単独は、結晶質であり、ディーゼルには比較的不溶性である。カルバゾールは、より高い可溶性を有するシクロデキストリン内のゲスト分子として存在する場合、ディーゼル燃料調合物中によりよく分散させることができることから、セタン価を強化する作用を付与するためにさらに簡単に利用できるようになる。シクロデキストリンへの封入は、カルバゾール分子を可溶化し、且つその沈殿を抑制することから、カルバゾール分子をよりよく燃焼および酸化反応に参加できる状態に維持する。
【０１７９】
ＮＭＡ単独（実施例３）は、セタン価の抑制因子として作用することがわかる。しかしながら、驚くべきことに、ＮＭＡと改変シクロデキストリンとの組み合わせは、セタン価の低下をより少なくし、より高い添加剤供給率で、実際に全体的なセタン価の増加を達成できた。したがって、この場合でも、別の方式ではセタン価向上剤としての使用が期待できないと予想される化合物は、改変シクロデキストリン（Ｉ）と組み合わせればセタン価向上剤として使用できるようである。これは、優れたセタン品質を有するディーゼル燃料を生産したいと考えている燃料配合者にとって利用可能な選択肢を大いに増やすことができる。物質がセタン価向上剤またはオクタン価向上剤のいずれかとして作用するメカニズムはしばしば複雑であることから、この作用は特に驚くべきことである。本発明者らはこの理論に拘束されることを望まないが、この作用は、少なくとも部分的にＮＭＡとシクロデキストリンとの分子間相互作用に起因する可能性があり、すなわち封入によって関連する官能基がより近接した状態になるためであると考えられる。例えば、ＮＭＡのアミン部分は、シクロデキストリンのエーテル部分と水素結合する可能性があるため、ゲスト分子の電子構造を変更して、もしかするとＮ−Ｈ結合を延伸させて弱くする可能性がある。この状況において、ラジカル形成がより容易に起こる可能性がある。カルバゾール−シクロデキストリン系においても類似の作用が起こっている可能性がある。
【０１８０】
したがって、本発明に従って、改変シクロデキストリン（Ｉ）は、ディーゼル燃料調合物においてセタン価向上添加剤のための媒体として使用できることがわかる。シクロデキストリンへのセタン価向上剤の封入は、そのセタン価を高める活性に対して不利な作用はないようである。それとは逆に、封入は、燃料調合物中にセタン価向上剤を可溶化し、および／またはその安定性を向上し、それによりその活性を増加させるのに役立つ可能性がある。場合によっては、改変シクロデキストリン（Ｉ）への添加剤の封入により添加剤の活性の性質を改変して、別の方式では利用できない可能性があるセタン価向上作用をもたらすことが可能になる。
【０１８１】
結果として、潜在的により広い範囲の活性物質が、ディーゼル燃料調合物中のセタン価向上剤として使用するために利用できるようになる可能性がある。さらに、改変シクロデキストリン媒体の活性を強化する作用によって、および／または添加剤の放出を標的化するシクロデキストリンの能力によって、ＤＴＢＰなどの公知のセタン価向上剤をより低い濃度で使用できるようになる可能性がある。
【０１８２】
実施例４−添加剤の放出
この実施例において、改変シクロデキストリンホスト分子からの封入されたセタン価向上剤の温度依存性の放出、すなわちセタン価向上剤の放出を標的化するためのシクロデキストリン使用の可能性を実証した。
【０１８３】
実施例１の固体添加剤組成物を熱重量分析して、包接錯体からＤＴＢＰ分子が放出される温度を決定した。比較のために、ＤＴＢＰ単独およびシクロデキストリン単独を同じ分析で処理した。３つのサンプルの結果を、図２Ａ（シクロデキストリン単独）、図２Ｂ（ＤＴＢＰ単独）および図２Ｃ（包接錯体）に示す。実線は温度に対する質量損失を示し、点線は時間に対する質量損失の速度（すなわちｄｍ／ｄｔ）を示す。質量損失は、有機分子の熱蒸発および／または熱分解を評価するのに有用な測定基準である。
【０１８４】
図２から、改変シクロデキストリンは、約２５０〜３８０℃で質量損失を起こし始めることがわかる。封入されていないＤＴＢＰは、４０から１００℃の間で質量損失を起こす。しかしながら、シクロデキストリンホスト分子で活性物質が錯体化されている場合（図２Ｃ）、ＤＴＢＰの質量損失は、１５０から２５０℃の間に起こる。このような質量損失の開始温度の増加は、シクロデキストリンホスト分子内にＤＴＢＰが封入されていることの裏付けになる。そこでシクロデキストリンとＤＴＢＰとの会合に打ち勝つにはより多くのエネルギーが必要であることから、揮発はより高温を必要とする。セタン価向上剤は、封入されていることにより、蒸発および／または熱分解から効果的に保護され得る。
【０１８５】
これらの結果の実際的な関連は、図３Ａ〜３Ｃで見ることができる。図３Ａおよび３Ｂは、封入されていないＤＴＢＰおよび封入されたＤＴＢＰそれぞれのサンプルの質量損失を示す。図３Ｃは、典型的なＦＡＭＥ非含有ディーゼル燃料の蒸留（回収）曲線を示す。封入されていないＤＴＢＰの質量損失（図３Ａ）は、蒸発および／または熱分解により起こり、５０％質量損失の温度（Ｔ５０％）は６８℃であった。対照的に、封入されたＤＴＢＰの質量損失は、より高温の１５０℃で起こった。ＤＴＢＰ−ＣｙＤ錯体の場合、４％の質量損失は、実験開始時における２％の質量のずれを差し引いた実際のＤＴＢＰ濃度の３．５％を考慮に入れたおよそ５０％のＤＴＢＰ質量損失を表す。
【０１８６】
図３から、封入は、ディーゼル軽質留分とよりよくオーバーラップする温度範囲に揮発性を抑制することがわかる。内燃機関で使用する際、点火後、軽質留分および封入された（より低い揮発性の）ＤＴＢＰは同じ空気−燃料領域に存在すると予想されることから、セタン価を高める特性をより効果的に送達すると予想される。シクロデキストリンは、ＤＴＢＰを早すぎる熱分解からも保護すると予想されることから、損失を低下させる。これらの２つのメカニズムは、ＤＴＢＰが改変シクロデキストリン（Ｉ）と錯体化されている場合に観察された効力の増加に寄与すると考えられる。下記の実施例５は、このような活性を強化する作用が、ディーゼルエンジンでの使用中に実際に維持されることを確認する。
【０１８７】
したがって、シクロデキストリンは、ＤＴＢＰの揮発性を低下させ、ＤＴＢＰ−シクロデキストリン錯体が解離するまで効果的にその放出を遅らせる。これは、具体的な温度状態にＤＴＢＰの送達を標的化するのに使用できる。例えば、典型的なディーゼルエンジンの燃料コモンレールまたはインジェクター内の稼働温度は、それぞれ６０〜１５０℃または６０〜２２０℃の範囲である可能性が高い。セタン価向上剤の作用が特に役に立つところは、ディーゼルエンジンの燃焼室である。しかしながら、ＤＴＢＰなどの封入されていない添加剤は、燃料噴射装置に到達する前に揮発または熱分解によって失われる可能性がある。改変シクロデキストリン（Ｉ）は、燃焼向上の促進が最も求められるより高温の燃料噴射装置または燃焼室内のポイントまで添加剤の放出を遅延させるのに使用できることから、その有効性を効果的に増加させる。
【０１８８】
同時に、実施例１〜３および５から、添加剤の封入は、燃料調合物においてそのセタン価を向上させる作用を大きく損なうことはなく、実際にはそのような作用を増加させることが多いことが実証される。
【０１８９】
ＮＭＡなどの他の活性物質は、式（Ｉ）の改変シクロデキストリンへの封入による類似の熱安定性の強化から利益を得る可能性があることが発見された。
【０１９０】
実施例５−ＥＨＮ添加剤
本発明に従って、混練法を使用してヘプタキス（２，３，６−トリ−Ｏ−メチル）−β−シクロデキストリン（ＴＲＩＭＥＢ）を公知のセタン価向上剤であるＥＨＮとブレンドすることによって固体添加剤組成物を調製した。組成物は、ガスクロマトグラフィーによって決定したところ９〜１０％ｗ／ｗのＥＨＮ濃度を有していた。ＥＨＮは、シクロラボＲ＆Ｄラボラトリー（ハンガリー）から供給された。
【０１９１】
次いで本発明に従って、得られた添加剤組成物を、完成した燃料調合物においてそれぞれ２００および４００ｐｐｍｗのＥＨＮに相当する２，０００および４，０００ｐｐｍｗの両方の供給率でディーゼル用ベース燃料ＢＦ２とブレンドすることによってディーゼル燃料調合物を調製した。
【０１９２】
ベース燃料ＢＦ２は、シェルのグループ会社から供給され、欧州のディーゼル燃料の仕様ＥＮ５９０に準拠する７％ｖ／ｖのＰＯＭＥを含有するＢ７ディーゼル用ベース燃料であった。Ｂ７ディーゼル用ベース燃料は、洗浄剤またはセタン価向上添加剤をまったくを含有していなかった。以下の表３にその特性をまとめた。
【０１９３】
【表３】
0006298076.tif 000005
【０１９４】
完成した調合物中の６６０ｐｐｍｗの総ＥＨＮ含量（封入された分子と封入されていない分子の両方を包含する）に相当する、６００ｐｐｍｗのＥＨＮ−ＴＲＩＭＥＢ添加剤組成物および追加の６００ｐｐｍｗのＥＨＮを含有するさらなる調合物を調製した。ブレンドは、添加剤組成物をベース燃料に混合して、固体が完全に溶解するまでこの混合物をかき混ぜることによって実行された。
【０１９５】
燃料調合物中におけるセタン価向上剤の有効性を評価するために、標準的な試験方法であるＩＰ４９８／０６を使用して、それらのＩＱＴセタン価を測定した。加えて、標準的な試験方法であるＡＳＴＭ  Ｄ６１３（「定容チャンバーでの燃焼によるディーゼル燃料油の点火遅れおよび導出セタン価（ＤＣＮ）の決定（Determination of Ignition Delay and Derived Cetane Number (DCN) of Diesel Fuel Oils by Combustion in a Constant Volume Chamber）」）を使用して、調査用エンジンで調合物のセタン価も試験した。
【０１９６】
比較目的で、ベース燃料単独と、封入されていないＥＨＮ、すなわち改変シクロデキストリンの非存在下でＥＨＮを有するベース燃料のブレンドとでＩＱＴおよび調査用エンジンのセタン価の両方も測定した。
【０１９７】
以下の表４にセタン価測定の結果を示す。「ＤＣＮ（ＩＱＴ）」は、ＩＰ４９８／０６によるセタン価を指し；「ＣＮ（ＲＥ）」は、調査用エンジンを使用して測定されたセタン価を指し；「ＥＨＮ−ＴＲＩＭＥＢ」は、改変シクロデキストリンとＥＨＮ添加剤とで形成されたホスト−ゲスト錯体を指す。記載された「活性物質」濃度は、ＥＨＮ単独を指す。
【０１９８】
【表４】
0006298076.tif 000006
【０１９９】
表４から、ＥＨＮは、シクロデキストリン包接錯体内のゲスト分子として存在する場合でさえもセタン価向上剤としての機能を維持することがわかる。さらに、その封入は、そのセタン価を向上させる活性を強化するようである（（ａ）４００ｐｐｍｗのＥＨＮおよび（ｂ）４００ｐｐｍｗの活性ＥＨＮに等しい４，０００ｐｐｍｗのＥＨＮ−ＴＲＩＭＥＢ錯体を含有する調合物の値と比較して）。
【０２００】
実施例６−改変シクロデキストリンの選択
２種の式（Ｉ）の改変シクロデキストリン、および比較用の未修飾シクロデキストリンを試験して、それらのディーゼル燃料中での溶解性および安定性を評価した。
【０２０１】
シクロデキストリンは、前の実施例で使用されたＴＲＩＭＥＢ；ヘプタキス（２，６−ジ−Ｏ−ｎ−ブチル）−β−シクロデキストリン（ＲＡＢＵＢ）；および未改変β−シクロデキストリン（Ｒ１＝Ｒ２＝Ｒ３＝水素）であった。ＲＡＢＵＢは、シクロラボＲ＆Ｄラボラトリー（ハンガリー）から供給され、未修飾シクロデキストリンは、シグマ−アルドリッチから供給された。
【０２０２】
試験された燃料は、（ａ）ディーゼル用ベース燃料および（ｂ）冬季グレードのフィッシャー−トロプシュ由来ディーゼル燃料であった。
【０２０３】
それぞれのケースにおいて、シクロデキストリンを１，０００ｐｐｍｗの濃度および室温で燃料に添加した。
【０２０４】
未改変β−シクロデキストリンは、ディーゼル用ベース燃料およびフィッシャー−トロプシュ由来燃料の両方において不溶性であることが見出された。これは、ＵＳ３，３１４，８８４では一般例としてシクロデキストリンが挙げられていたが、典型的なディーゼル燃料調合物において、未改変分子は添加剤または添加剤用媒体として不適当であることを実証する。
【０２０５】
ＴＲＩＭＥＢは、長い溶解時間を要したが、ディーゼル用ベース燃料中で透明で明るい色の溶液になった。フィッシャー−トロプシュ由来燃料中では、それより長い溶解時間で部分的に溶解させることができた。したがって、ＴＲＩＭＥＢは、より高い極性の環境ではより高い溶解性を示すようである。
【０２０６】
ＲＡＢＵＢは、ディーゼル燃料中では極めてよく溶解するようであり、透明で明るい色の溶液を形成した。またＲＡＢＵＢは、試験されたシクロデキストリンのなかでは最も早く溶解した。それゆえに他のアルキル化β−シクロデキストリン、特にＣ２またはそれより高次のアルキル基、例えばＣ３〜Ｃ８アルキル基で置換されたβ−シクロデキストリンも、自動車用ディーゼル燃料に可溶性であること、ならびにセタン価向上剤および他の添加剤のための媒体としてこのような燃料での使用に好適であることが期待できる。
【０２０７】
実施例７−さらなるシクロデキストリンの溶解性
３種のさらなる式（Ｉ）の改変シクロデキストリンを、ディーゼル用ベース燃料中での溶解性に関して試験した。
【０２０８】
シクロデキストリンは、それぞれエチル基で置換されたアルキル化β−シクロデキストリン（ＲＡＥＢと称される化合物）、プロピル基で置換されたアルキル化β−シクロデキストリン（ＲＡＰＢ）およびオクチル基で置換されたアルキル化β−シクロデキストリン（ＲＡＯＢ）であった。それぞれのケースにおいて、Ｒ１、Ｒ２およびＲ３の位置は、関連するアルキル基でランダムに置換されており、各分子中の残基１つあたり、３つの位置のうち平均して少なくとも２つの位置で置換されていた。プロピルおよびオクチル置換基は、直鎖状および分岐状鎖アルキル基の混成であった。３種の化合物は全て、シクロラボＲ＆Ｄラボラトリー（ハンガリー）から供給された。
【０２０９】
ベース燃料は、７％ｖ／ｖのＰＯＭＥを含有するＢ７ディーゼル用ベース燃料であった。シクロデキストリンを１，０００ｐｐｍｗの濃度および室温で燃料に添加した。それらのおよその溶解速度および得られた溶液の物理的な外観を目視で評価した。以下の表５にその観察をまとめた。「秒単位の溶解時間」とは、数秒（すなわち１分未満）でシクロデキストリンが溶解したことを示し、「分単位の溶解時間」とは、数分以内ただし１時間未満で溶解したことを意味し、「時間単位」とは、溶解するのに１時間より長くかかったことを意味する。
【０２１０】
【表５】
0006298076.tif 000007
【０２１１】
表５から、試験された全てのアルキル化シクロデキストリンは、優れた、または少なくとも適度なディーゼル燃料への溶解性を有していたことがわかる。溶解性の程度および溶解速度は、シクロデキストリンおよび燃料それぞれの極性に関連があるようである。シクロデキストリンの極性は、ＲＡＯＢでは低く、ＲＡＥＢまで高く増加する。比較的低い極性のＢ７ディーゼル燃料において、最も低い極性のシクロデキストリンであるＲＡＯＢが、その迅速な溶解時間で証明されたように最も簡単に溶解した。したがって、改変シクロデキストリン（Ｉ）の使用が意図される具体的なタイプの燃料に合わせてその親和性が増加するように、改変シクロデキストリン（Ｉ）上の置換基を設計してもよい。
【０２１２】
実施例８−添加剤の安定性
Ｂ７ディーゼル用ベース燃料に溶解させた１，０００ｐｐｍｗのＴＲＩＭＥＢを含有する調合物を、およそ２０℃、−２℃および−２０℃で６ヶ月間保存した。６ヶ月間にわたり所定の時間間隔で、この調合物を室温で安定化させて目視で評価した。最も低い温度で保存した場合でも、全て透明で明るい色であることが見出された。
【０２１３】
これらの結果から、式（Ｉ）の改変シクロデキストリンは、溶解性または安定性の問題がない、炭化水素ベースのディーゼル燃料調合物での使用に好適であり得ることが示される。
【０２１４】
追加の試験で、最大１０，０００ｐｐｍｗのＴＲＩＭＥＢを含有させたが、Ｂ７ディーゼル用ベース燃料の蒸留特性に有意な作用はなかったことが見出された。
【０２１５】
この実施例ならびに実施例６および７の結果は、ディーゼル燃料調合物中のセタン価向上添加剤用媒体としての式（Ｉ）の改変シクロデキストリン、特にアルキル化シクロデキストリンの有用性の裏付けとなる。またこれらの結果は、所定のあらゆる調合物におけるそれらの溶解性および安定性が最適化されるように置換基Ｒ１〜Ｒ３を設計できることから、これらの化合物の「調整しやすさ（tuneability）」も実証する。
【図１Ａ】
0006298076.tif 000009
【図１Ｂ】
0006298076.tif 000010
【図１Ｃ】
0006298076.tif 000011
【図１Ｄ】
0006298076.tif 000012
【図２Ａ】
0006298076.tif 000013
【図２Ｂ】
0006298076.tif 000014
【図２Ｃ】
0006298076.tif 000015
【図３Ａ】
0006298076.tif 000016
【図３Ｂ】
0006298076.tif 000017
【図３Ｃ】
0006298076.tif 000018